(57)【要約】第１および第２の面を有し、前記第１の面に第１の機能部を有するディスクを収納するディスクカートリッジであって、ディスク開口部および底部を有し、前記ディスク開口部から前記第１の面を外部に露出するように収納するディスク収納部と、前記ディスクを外部からチャッキングするために前記ディスク収納部の底部に設けられたチャッキング開口部と、データの記録および／または再生を行うヘッドが前記ディスクの第２の面へアクセスするために前記ディスク収納部の底部に設けられたヘッド開口部とを含むカートリッジ本体、少なくとも前記ヘッド開口部を外部に対して開放および閉塞するように前記カートリッジ本体に対して移動可能なように支持されるシャッタ、および前記カートリッジ本体に設けられ、前記ディスクの第１の機能部と協同することにより、視聴覚効果を発揮する第２の機能部を備えるディスクカートリッジ。
2004012193.tif 000002
【特許請求の範囲】
【請求項１】
第１および第２の面を有し、前記第１の面に第１の機能部を有するディスクを収納するディスクカートリッジであって、
ディスク開口部および底部を有し、前記ディスク開口部から前記第１の面を外部に露出するように収納するディスク収納部と、前記ディスクを外部からチャッキングするために前記ディスク収納部の底部に設けられたチャッキング開口部と、データの記録および／または再生を行うヘッドが前記ディスクの第２の面へアクセスするために前記ディスク収納部の底部に設けられたヘッド開口部とを含むカートリッジ本体、
少なくとも前記ヘッド開口部を外部に対して開放および閉塞するように前記カートリッジ本体に対して移動可能なように支持されるシャッタ、および
前記カートリッジ本体に設けられ、前記ディスクの第１の機能部と協同することにより、視聴覚効果を発揮する第２の機能部、
を備えるディスクカートリッジ。
【請求項２】
前記第１の機能部および前記第２の機能部は協同することにより視覚効果を発揮する請求項１に記載のディスクカートリッジ。
【請求項３】
前記第１の機能部および前記第２の機能部は協同することにより聴覚効果を発揮する請求項１に記載のディスクカートリッジ。
【請求項４】
前記ディスクの第２の面には、視聴覚情報が記録されており、前記視聴覚効果は、前記ディスクの第２の面の視聴覚情報に関連している請求項１に記載のディスクカートリッジ。
【請求項５】
前記第１の機能部は前記第１の面に施された第１の意匠であり、前記第２の機能部は前記カートリッジ本体の前記ディスク開口部に近接した上面に施された第２の意匠であり、前記第１の意匠および前記第２の意匠は一体的に見える第３の意匠を構成している請求項２に記載のディスクカートリッジ。
【請求項６】
前記第１の意匠は前記第１の面に施された絵柄であり、前記第２の意匠は前記上面に施された絵柄である請求項５に記載のディスクカートリッジ。
【請求項７】
前記第１の意匠および前記第２の意匠は平面的である請求項６に記載のディスクカートリッジ。
【請求項８】
前記第１の意匠および前記第２の意匠は浮き彫りにより形成されている請求項６に記載のディスクカートリッジ。
【請求項９】
記第１の意匠の浮き彫りの凹凸の深さは、前記第２の意匠の浮き彫りの凹凸の深さとほぼ等しい請求項８に記載のディスクカートリッジ。
【請求項１０】
前記ディスクの第１の面および前記カートリッジ本体の上面はシボ加工されている請求項６に記載のディスクカートリッジ。
【請求項１１】
前記第１の意匠および前記第２の意匠はホログラムによって形成されている請求項６に記載のディスクカートリッジ。
【請求項１２】
前記第１の機能部は前記第１の面に設けられ、線画の描画および消去が可能なタブレットであり、前記第２の機能部は前記カートリッジ本体に設けられ、前記タブレットに描かれた軌跡を消去する消去部である請求項２に記載のディスクカートリッジ。
【請求項１３】
前記タブレットは、磁性体を内包し、前記タブレットの表面に磁石または磁性体を近接させることにより、前記描画を行う請求項１２に記載のディスクカートリッジ。
【請求項１４】
前記タブレットは、粘性流体と磁性粉とを充填した小室を複数有する請求項１３に記載のディスクカートリッジ。
【請求項１５】
前記消去部は、前記カートリッジ本体のディス収納部の底部に設けられた磁石板である請求項１４に記載のディスクカートリッジ。
【請求項１６】
前記ディスクを前記カートリッジ本体のディス収納部内において回転させることにより、前記タブレットに記録された線画を消去する請求項１５に記載のディスクカートリッジ。
【請求項１７】
前記第１の機能部は前記第１の面に設けられ、液晶、有機ＥＬまたは無機ＥＬからなるマトリクス型表示装置であり、前記第２の機能部は、前記カートリッジ本体にもうけられ、前記マトリクス型表示装置を駆動するための制御部、前記マトリクス型表示装置に表示する画像データを記憶するメモリ、および前記マトリクス型表示装置に電力を供給する電源を含む請求項２に記載のディスクカートリッジ。
【請求項１８】
前記第２の機能部は、前記カートリッジ本体に設けられたスピーカをさらに含む請求項１７に記載のディスクカートリッジ。
【請求項１９】
前記第１の機能部は、前記マトリクス型表示装置の表面に設けられた透明なタブレットをさらに含み、前記タブレットに入力された情報を前記マトリクス型表示装置に表面する請求項１７に記載のディスクカートリッジ。
【請求項２０】
前記第１の機能部は前記第１の面に設けられた平板状スピーカであり、前記第２の機能部は、平板状スピーカから再生すべき聴覚情報を記録したメモリと、前記聴覚情報を変換して平板状スピーカへ信号を送る制御部と、前記制御部に電力を供給する電源とを含む請求項３に記載のディスクカートリッジ。
【請求項２１】
前記第２の機能部は、前記カートリッジ本体に設けられたマイクをさらに含み、前記制御部は前記マイクを用いて録音された音声を前記聴覚情報に変換して、前記メモリに記憶させる請求項１８に記載のディスクカートリッジ。
【請求項２２】
前記ディスクは、前記第１の機能部と接続され、前記ディスクの外縁部に設けられたディスク側端子を有し、前記カートリッジ本体は、前記第２の機能部と接続された本体側端子を含む請求項１７から２１のいずれかに記載のディスクカートリッジ。
【請求項２３】
前記ディスクカートリッジはシャッタの閉塞時に前記ディスクを保持するディスク保持部を備え、前記ディスク保持部によって前記ディスクが保持されているとき、前記ディスク側端子と前記本体側端子とは接触しうる請求項２２に記載のディスクカートリッジ。
【請求項２４】
前記ディスク側端子は、前記ディスクの外縁部に同心円状に設けられた複数の環状導電領域である請求項２３に記載のディスクカートリッジ。
【請求項２５】
前記ディスクはディスク側マークを有し、前記カートリッジ本体は本体側マークを有し、前記ディスク側マークと本体側マークとが一致位置にあるよう、前記ディスクを前記カートリッジ本体のディスク収納部内で回転させたとき、前記ディスク側端子と前記本体側端子とが接触する、請求項２３に記載のディスクカートリッジ。
【請求項２６】
前記ディスクは、前記第１の機能部と接続され、前記第１の面に設けられ、導電性の表面を備えたディスク側端子を含み、前記カートリッジ本体は、前記第２の機能部と接続され、前記カートリッジ本体の上面に設けられ、導電性の表面を備えた本体側端子を含み、前記ディスク側端子および前記本体側端子に同時に手指でふれることにより、前記第１の機能部と前記第２の機能部が電気的に接続される請求項１７から２１のいずれかに記載のディスクカートリッジ。
【請求項２７】
第１および第２の面を有し、前記第１の面に第１の機能部を有するディスクが収納された請求項１から１６のいずれかに規定されるディスクカートリッジが装填可能な支持部と、
前記ディスクを載置し、前記ディスクを回転させるためのスピンドルモータと、
前記ディスクの前記第２の面にデータの記録を行うことおよび／または前記第２の面に記録されたデータの再生を行うことが可能なヘッドと、
前記スピンドルモータに、前記ディスクが載置された時の前記スピンドルモータの回転角度位置を検出するためのセンサと、
前記ディスクカートリッジを排出する指令に基づいて、前記スピンドルモータを前記ディスクが載置された時の回転角度位置で停止させるよう前記スピンドルモータを制御する制御部と、
を備えるディスク装置。
【請求項２８】
第１および第２の面を有し、前記第１の面に第１の機能部を有するディスクが収納された請求項１から１６のいずれかに規定されるディスクカートリッジが装填可能な支持部と、
前記ディスクを載置し、前記ディスクを回転させるためのスピンドルモータと、
前記ディスクの前記第２の面にデータの記録を行うことおよび／または前記第２の面に記録されたデータの再生を行うことが可能なヘッドと、
前記ディスクの第２の面に設けられたマークを検出するセンサと、
前記ディスクのマークを検出した位置において、前記スピンドルモータが停止するよう前記スピンドルモータを制御する制御部と
を備えるディスク装置。
【発明の詳細な説明】
【技術分野】  本発明は光ディスク、磁気ディスクなどのディスクおよびディスクを収納するディスクカートリッジに関する。また、ディスクにデータを記録し、ディスクからデータを再生するディスク装置にも関する。
【背景技術】  近年の情報技術の発達に伴って、光ディスク、磁気ディスクなどのディスク状のデータ記録媒体の記録密度が飛躍的に高まってきている。また、データ記録媒体に記録されるデータの種類も多様化してきており、コンピュータ用のデータやソフトウエアに限られず、音楽、映像など種々のデータが記録されるようになってきている。
こうしたデータ記録媒体は、通常、データ記録面とラベル面とを有する円形のディスクで構成される。このようなディスクとしては、ＣＤ、ＤＶＤなどが挙げられる。また、片面または両面にデータ記録面を有する円形ディスクとディスク全体を覆うように収納するディスクカートリッジとで構成されたデータ記録媒体も広く用いられている。このようなデータ記録媒体としては、ＭＤ、ＤＶＤ−ＲＡＭ、ＭＯなどが挙げられる。
データ記録媒体に記録されているデータは、人に知覚できるものではない。このため、従来のデータ記録媒体では、記録されているデータ（コンテンツ）を表す情報を、ディスクのラベル面やディスクカートリッジの所定の領域に印刷などにより記していた。たとえば、データとして音楽や映画が記録されたデータ記録媒体の場合、楽曲や映画のタイトルが典型的には表示されていた。データ記録媒体がユーザによってデータの記録を行うことができるタイプのものである場合には、ユーザがラベル面やディスクカートリッジの所定の領域に記録したデータの内容を示す情報を書き込んでいた。
データが記録されたデータ記録媒体を商品として販売する場合、コンテンツの特徴はデータ記録媒体を見ただけでは識別できない。このため、ディスクのラベル面やディスクカートリッジに印刷された情報が商品としての魅力を需要者に訴求する上で重要となる。
しかしながら、従来のデータ記録媒体には、コンテンツを説明するための情報を印刷することのできる領域の大きさやその領域に許容される表示方法に制限がある。たとえば、ディスクのラベル面やディスクカートリッジに印刷を施すことのできる領域の形状は定められているため、デザイン上、新規で視覚効果の高い印刷を施すことができなかった。また、ＣＤの場合、ラベル面の表面から０．１ｍｍの深さにはデータ記録層が形成されているため、ラベル面に凹凸を形成するような立体的な印刷や彫刻を施すことはできない。
ディスクカートリッジにディスクが収納されたデータ記録媒体の場合には、ディスクカートリッジ内のディスクを交換してしまうと、ディスクカートリッジに印刷された情報と、ディスクに記録されたデータが一致しなくなる可能性があり、このような場合には、ディスクカートリッジに印刷あるいは記載された情報は無意味なものとなるという課題もあった。
【発明の開示】
本発明は、上述の課題を解決するためになされたものであり、記録されたデータに関する情報などを示すために、新規な視聴覚効果をもたらすことが可能なディスク、ディスクカートリッジを提供することを目的としている。また、そのようなディスクやディスクカートリッジのためのディスク装置を提供することを目的としている。
本発明のディスクカートリッジは第１および第２の面を有し、前記第１の面に第１の機能部を有するディスクを収納する。ディスクカートリッジは、ディスク開口部および底部を有し、前記ディスク開口部から前記第１の面を外部に露出するように収納するディスク収納部と、前記ディスクを外部からチャッキングするために前記ディスク収納部の底部に設けられたチャッキング開口部と、データの記録および／または再生を行うヘッドが前記ディスクの第２の面へアクセスするために前記ディスク収納部の底部に設けられたヘッド開口部とを含むカートリッジ本体、少なくとも前記ヘッド開口部を外部に対して開放および閉塞するように前記カートリッジ本体に対して移動可能なように支持されるシャッタ、および前記カートリッジ本体に設けられ、前記ディスクの第１の機能部と協同することにより、視聴覚効果を発揮する第２の機能部を備える。
ある好ましい実施形態において、前記第１の機能部および前記第２の機能部は協同することにより視覚効果を発揮する。
ある好ましい実施形態において、前記第１の機能部および前記第２の機能部は協同することにより聴覚効果を発揮する。
ある好ましい実施形態において、前記ディスクの第２の面には、視聴覚情報が記録されており、前記視聴覚効果は、前記ディスクの第２の面の視聴覚情報に関連している。
ある好ましい実施形態において、前記第１の機能部は前記第１の面に施された第１の意匠であり、前記第２の機能部は前記カートリッジ本体の前記ディスク開口部に近接した上面に施された第２の意匠であり、前記第１の意匠および前記第２の意匠は一体的に見える第３の意匠を構成している。
ある好ましい実施形態において、前記第１の意匠は前記第１の面に施された絵柄であり、前記第２の意匠は前記上面に施された絵柄である。
ある好ましい実施形態において、前記第１の意匠および前記第２の意匠は平面的である。
ある好ましい実施形態において、前記第１の意匠および前記第２の意匠は浮き彫りにより形成されている。
ある好ましい実施形態において、前記第１の意匠の浮き彫りの凹凸の深さは、前記第２の意匠の浮き彫りの凹凸の深さとほぼ等しい。
ある好ましい実施形態において、前記ディスクの第１の面および前記カートリッジ本体の上面はシボ加工されている。
ある好ましい実施形態において、前記第１の意匠および前記第２の意匠はホログラムによって形成されている。
ある好ましい実施形態において、前記第１の機能部は前記第１の面に設けられ、線画の描画および消去が可能なタブレットであり、前記第２の機能部は前記カートリッジ本体に設けられ、前記タブレットに描かれた軌跡を消去する消去部である。
ある好ましい実施形態において、前記タブレットは、磁性体を内包し、前記タブレットの表面に磁石または磁性体を近接させることにより、前記描画を行う。
ある好ましい実施形態において、前記タブレットは、粘性流体と磁性粉とを充填した小室を複数有する。
ある好ましい実施形態において、前記消去部は、前記カートリッジ本体のディス収納部の底部に設けられた磁石板である。
ある好ましい実施形態において、前記ディスクを前記カートリッジ本体のディス収納部内において回転させることにより、前記タブレットに記録された線画を消去する。
ある好ましい実施形態において、前記第１の機能部は前記第１の面に設けられ、液晶、有機ＥＬまたは無機ＥＬからなるマトリクス型表示装置であり、前記第２の機能部は、前記カートリッジ本体にもうけられ、前記マトリクス型表示装置を駆動するための制御部、前記マトリクス型表示装置に表示する画像データを記憶するメモリ、および前記マトリクス型表示装置に電力を供給する電源を含む。
ある好ましい実施形態において、前記第２の機能部は、前記カートリッジ本体に設けられたスピーカをさらに含む。
ある好ましい実施形態において、前記第１の機能部は、前記マトリクス型表示装置の表面に設けられた透明なタブレットをさらに含み、前記タブレットに入力された情報を前記マトリクス型表示装置に表面する。
ある好ましい実施形態において、前記第１の機能部は前記第１の面に設けられた平板状スピーカであり、前記第２の機能部は、平板状スピーカから再生すべき聴覚情報を記録したメモリと、前記聴覚情報を変換して平板状スピーカへ信号を送る制御部と、前記制御部に電力を供給する電源とを含む。
ある好ましい実施形態において、前記第２の機能部は、前記カートリッジ本体に設けられたマイクをさらに含み、前記制御部は前記マイクを用いて録音された音声を前記聴覚情報に変換して、前記メモリに記憶させる。
ある好ましい実施形態において、前記ディスクは、前記第１の機能部と接続され、前記ディスクの外縁部に設けられたディスク側端子を有し、前記カートリッジ本体は、前記第２の機能部と接続された本体側端子を含む。
ある好ましい実施形態において、前記ディスクカートリッジはシャッタの閉塞時に前記ディスクを保持するディスク保持部を備え、前記ディスク保持部によって前記ディスクが保持されているとき、前記ディスク側端子と前記本体側端子とは接触しうる。
ある好ましい実施形態において、前記ディスク側端子は、前記ディスクの外縁部に同心円状に設けられた複数の環状導電領域である。
ある好ましい実施形態において、前記ディスクはディスク側マークを有し、前記カートリッジ本体は本体側マークを有し、前記ディスク側マークと本体側マークとが一致位置にあるよう、前記ディスクを前記カートリッジ本体のディスク収納部内で回転させたとき、前記ディスク側端子と前記本体側端子とが接触する。
ある好ましい実施形態において、前記ディスクは、前記第１の機能部と接続され、前記第１の面に設けられ、導電性の表面を備えたディスク側端子を含み、前記カートリッジ本体は、前記第２の機能部と接続され、前記カートリッジ本体の上面に設けられ、導電性の表面を備えた本体側端子を含み、前記ディスク側端子および前記本体側端子に同時に手指でふれることにより、前記第１の機能部と前記第２の機能部が電気的に接続される。
本発明のディスク装置は、第１および第２の面を有し、前記第１の面に第１の機能部を有するディスクが収納された請求項１から１６のいずれかに規定されるディスクカートリッジが装填可能な支持部と、前記ディスクを載置し、前記ディスクを回転させるためのスピンドルモータと、前記ディスクの前記第２の面にデータの記録を行うことおよび／または前記第２の面に記録されたデータの再生を行うことが可能なヘッドと、前記スピンドルモータに、前記ディスクが載置された時の前記スピンドルモータの回転角度位置を検出するためのセンサと、前記ディスクカートリッジを排出する指令に基づいて、前記スピンドルモータを前記ディスクが載置された時の回転角度位置で停止させるよう前記スピンドルモータを制御する制御部とを備える。
また、本発明のディスク装置は、第１および第２の面を有し、前記第１の面に第１の機能部を有するディスクが収納された請求項１から１６のいずれかに規定されるディスクカートリッジが装填可能な支持部と、前記ディスクを載置し、前記ディスクを回転させるためのスピンドルモータと、前記ディスクの前記第２の面にデータの記録を行うことおよび／または前記第２の面に記録されたデータの再生を行うことが可能なヘッドと、前記ディスクの第２の面に設けられたマークを検出するセンサと、前記ディスクのマークを検出した位置において、前記スピンドルモータが停止するよう前記スピンドルモータを制御する制御部とを備える。
また、本発明のディスクは、データ記録層、第１の基板、第２の基板を備え、前記データ記録層は前記第１の基板および第２の基板に挟まれている。前記データ記録層への記録または、データ記録層からの再生は前記第２基板側から行われる。前記第１基板の厚みは０．５ｍｍ以上である。
ある好ましい実施形態において、前記第１の基板の表面には凹凸からなる浮き彫り状の意匠が施されている。
ある好ましい実施形態において、前記第１の基板は凹凸からなる浮き彫り状の意匠が表面に施された第１の層と、前記第１の層の穂表面を覆う透明な第２の層とを含む。
ある好ましい実施形態において、前記意匠は、前記データ記録層に記録されたデータに関連している。
ある好ましい実施形態において、前記意匠の凹凸による高低差は０．２ｍｍから１．０ｍｍの範囲にある。
ある好ましい実施形態において、前記第１の基板は前記データ記を支持する第１層と、第１の層の表面に設けられた膜状の第２層とを含み、前記第２の層はコインや爪により容易にスクラッチマークを付けたり剥がしたりすることができる。
ある好ましい実施形態において、前記第２層は前記第１層の表面に複数箇所設けられ、前記ディスクの検査工程において、特定の前記第２層にスクラッチマークを付けることにより、反り、偏重心等の固有情報を表示する。
ある好ましい実施形態において、前記第１の層の表面には所定の情報が印刷されており、前記第２の層を剥がすことにより前記情報を表示することができる。
ある好ましい実施形態において、前記情報はクイズの答え、くじ引き当落マーク、または占いである。
ある好ましい実施形態において、前記第１の基板にはホログラムを表示することのできる構造を備えている。
【図面の簡単な説明】  図１は、本発明で用いるディスクカートリッジの全体構造を示す斜視図である。
図２は、図１のディスクカートリッジを分解した状態を示す分解斜視図である。
図３は、図１のディスクカートリッジにおいて、シャッタが閉塞している状態をカートリッジ上体とディスクを省略して示す斜視図である。
図４は、図１のディスクカートリッジにおいて、シャッタが開放している状態をカートリッジ上体とディスクを省略して示す斜視図である。
図５は、図１のディスクカートリッジにおいて、シャッタが閉塞している状態をディスクを省略して示す斜視図である。
図６は、図１のディスクカートリッジにおいて、シャッタが開放している状態をディスクを省略して示す斜視図である。
図７は、図１のディスクカートリッジのディスク中心を通る断面を示す部分断面図である。
図８は、図１のディスクカートリッジのシャッタの一部を示す断面図である。
図９は、図１のディスクカートリッジの操作部近傍を示す部分平面図である。
図１０は、図１のディスクカートリッジの脱落防止部材を示す斜視図である。
図１１は、本発明のデータ記録媒体の第１の実施形態を示す斜視図である。
図１２は、図１に示すデータ記録媒体の厚さ方向の断面図である。
図１３Ａはおよび図１３Ｂは従来のディスクのラベル面および本発明のデータ記録媒体に表示できる矩形領域の大きさを模式的に示している。
図１４は、図１１に示すデータ記録媒体に用いるディスク装置の構造を模式的に示している。
図１５は、図１１に示すデータ記録媒体に用いる他のディスク装置の構造を模式的に示している。
図１６は、本発明のデータ記録媒体の第２の実施形態を示す斜視図である。
図１７は、図１６に示すデータ記録媒体の厚さ方向の断面図である。
図１８は、本発明のデータ記録媒体の第３の実施形態を示す斜視図である。
図１９は、本発明のデータ記録媒体の第４の実施形態を示す斜視図である。
図２０は、本発明のデータ記録媒体の第３の実施形態の変形例を示す斜視図である。
図２１は、本発明のデータ記録媒体の第４の実施形態を示す断面図である。
図２２は、本発明で用いることのできる他のディスクカートリッジの全体構造を示す斜視図である。
【発明を実施するための最良の形態】  まず、本発明で用いるディスクカートリッジが備えている共通の構造を説明する。本実施形態で用いるディスクカートリッジとしては、たとえば、国際特許出願公開番号ＷＯ０２／０５６３１３および対応する米国特許出願番号１０／２８９，９６３、ならびに、国際特許出願公開番号ＷＯ０３／０４１０７６および対応する米国特許出願（代理人番号２１０４０７．００５２／０５２ＵＳで２００３年６月１７日に出願）に開示されたディスクカートリッジを用いることができる。国際特許出願公開番号ＷＯ０２／０５６３１３、米国特許出願番号１０／２８９，９６３、国際特許出願国際公開番号ＷＯ０３／０４１０７６、および２００３年６月１７日に代理人番号２１０４０７．００５２／０５２ＵＳでなされた米国特許出願の開示を以下において、援用する。
図１および図２は、本発明で用いるディスクカートリッジ３０１の一例を示す斜視図および分解斜視図である。まず、図１および図２を参照して、ディスクカートリッジ３０１の構造を概略的に説明する。
図１および図２に示されるディスク１００は第１および第２の面を備えており、図１では、第１の面であり、通常、ディスクのラベル等が描かれているラベル面１００Ｂが示されている。ディスク１００の第２の面であるデータ記録面１００Ａは、図２において裏面として示されている。
図１および図２に示すように、ディスクカートリッジ３０１は、カートリッジ下体１１、カートリッジ上体１２、一対のシャッタ２１、２２および脱落防止部２３を含む。
カートリッジ下体１１は、図２に示すように、外部からディスク１００を回転させるためのスピンドルモータ等のチャッキング部材が侵入できるよう開口したチャッキング開口部１１ｃと、ディスク１００のデータ記録面１００Ａに対してデータの再生および記録の少なくとも一方を行うヘッドが侵入し、アクセスできるよう開口したヘッド開口部１１ｈとを有する。カートリッジ下体１１は、ディスク１００のデータ記録面１００Ａと対向する。また、ヘッド開口部１１ｈは、カートリッジ下体１１の側面に達している。
カートリッジ上体１２は、ディスク１００の出し入れが可能であり、ディスクの上面を露出するようにディスク１００の全投影領域を開口する円形のディスク開口部１２ｗを有する。カートリッジ上体１２とカートリッジ下体１１とは外縁部で接着もしくは溶着されてカートリッジ本体１０を構成している。
カートリッジ下体１１のディスク１００のデータ記録面１００Ａと向かい合う第１の内側面１１ｕと、カートリッジ上体１２のディスク開口部１２ｗを構成する略円筒状の第２の内側面１２ｉとにより、ディスク１００を収納するディスク収納部１０ｄが構成される。これにより、第１の内側面１１ｕがディスク収納部１０ｄの底部となる。
ディスク収納部１０ｄにおいて、第２の内側面１２ｉとディスク１００との間にはディスク１００が回転可能な程度の空間が設けられる。また、ディスク収納部１０ｄの上部はディスク開口部１２ｗになっており、ディスク収納部１０ｄに保持されたディスク１００は、その片面をディスク開口部１２ｗから外部に露出する。
脱落防止部２３は、その一部がディスク開口部１２ｗに突出するようにカートリッジ上体１２に着脱可能に設けられている。図１および図２に示すように、本実施形態では脱落防止部２３は２つ設けられている。一方、カートリッジ上体１２には、カートリッジ上体１２と一体に形成されており、ディスク開口部１２ｗから突出している脱落防止部１２ｓが設けられている。２つの脱落防止部２３および脱落防止部１２ｓは、ディスク開口部１２ｗの円周上において、おおよそ等間隔に配置されており、シャッタ閉塞時およびシャッタ開放時において、ディスク開口部１２ｗからディスク１００が脱落することを防止する。特に、ディスクカートリッジをドライブ装置に垂直に挿入して使用する場合において脱落防止の効果を発揮する。
シャッタ２１および２２は、ディスク１００のデータ記録面１００Ａとディスク収納部１０ｄの内側面１１ｕとの間に設けられている。シャッタ２１および２２は、回動孔２１ｕおよび２２ｕをそれぞれ有しており、カートリッジ本体１０のディスク収納部１０ｄ以外の領域であって、かつヘッド開口部１１ｈと反対側に設けられた一対の回動軸１１ｓに回動孔２１ｕ、２２ｕが回動自在にそれぞれ嵌合している。このため、チャッキング開口部１１ｃおよびヘッド開口部１１ｈを外部に対して開放または閉塞するようシャッタ２１および２２は回動軸１１ｓを中心に移動する。
シャッタ２１および２２の回動孔２１ｕおよび２２ｕ近傍にはそれぞれカム２１ｃおよびフォロワ２２ｃが設けられている。カム２１ｃおよびフォロワ２２ｃは互いに噛み合う形状を備え、シャッタ２１および２２を互いに連動しながら開閉させる連動機構２０ｃを構成している。
シャッタ２１および２２のディスクデータ記録面１００Ａと向かい合う面にはディスク１００への傷つき、もしくはデータ記録面１００Ａへの埃塵の侵入を防止する保護層２１ｐ、２２ｐが設けられている。
保護層２１ｐおよび２２ｐは、傷つき防止用不織布、防塵用不織布、傷つき防止用コーティング層、および防塵用コーティング層から適宜選択することができる。本実施形態では、防塵用不織布からなるシートを保護層２１ｐ、２２ｐとして貼着もしくは超音波溶着させている。
シャッタ２１および２２は、ディスク収納部１０ｄ以外の領域にそれぞれ設けられたシャッタバネ３１および３２によって、シャッタ２１および２２が閉じる方向に付勢されている。バネ以外の他の弾性部材を用いてシャッタ２１および２２を閉じる方向に付勢してもよい。
図２に示すように、ディスクカートリッジ３０１は、シャッタ２１および２２の端部にディスク保持部２１ａ、２１ｂ、２２ａ、２２ｂを備えている。ディスク保持部２１ａ、２１ｂ、２２ａ、２２ｂは、シャッタ２１および２２が閉塞している状態において、ディスク１００の外周を保持するよう、シャッタ２１および２２の端部において逆テーパ状の斜面を有している。ディスク保持部２１ａ、２１ｂ、２２ａ、２２ｂの構造およびその動作については以下において詳述する。
図１に示すように、カートリッジ本体１０（カートリッジ上体１２）の上面１０ｆは、収納されるディスク１００と平行になっている。カートリッジ本体１０の一対の側面には、凹部１０ｃが設けられている。凹部１０ｃは、ドライブ装置がディスクカートリッジ３０１をローディングする際の、あるいはディスクカートリッジ３０１がチェンジャに収納された場合の、引き込み用の係止もしくは位置決め用の凹みとして用いることができる。
図３は、カートリッジ上体１２とディスク１００がない場合におけるシャッタ２１、２２がチャッキング開口部１１ｃおよびヘッド開口部１１ｈを外部に対して閉塞している状態を示す斜視図である。図３において、シャッタ２１、２２に設けられたディスク保持部２１ａ、２１ｂ、２２ａ、２２ｂは図示しないディスク１００の外周を掴むように位置している。
図４は、カートリッジ上体１２とディスク１００がない場合におけるシャッタ２１、２２がチャッキング開口部１１ｃおよびヘッド開口部１１ｈを外部に対して開放している状態を示す斜視図である。シャッタ２１、２２が回動孔２１ｕ、２２ｕを中心として回転することにより、チャッキング開口部１１ｃおよびヘッド開口部１１ｈを外部に対して開放している。また、シャッタ２１、２２の移動にともなって、ディスク保持部２１ａ、２１ｂ、２２ａ、２２ｂも回動孔２１ｕ、２２ｕを中心として回転し、図示しないディスク１００の外周から離れた状態になる。
図５は、ディスク１００がない場合におけるシャッタ２１、２２がチャッキング開口部１１ｃおよびヘッド開口部１１ｈを外部に対して閉塞している状態を示す斜視図である。図５に示すように、ディスク保持部２１ａ、２１ｂ、２２ａ、２２ｂはディスク収納部１０ｄに突出した状態にあり、図示しないディスク１００を保持する。一方、図６は、ディスク１００がない場合におけるシャッタ２１、２２がチャッキング開口部１１ｃおよびヘッド開口部１１ｈを外部に対して開放している状態を示す斜視図である。図６に示すように、シャッタ２１、２２が開放状態にあるとき、ディスク保持部２１ａ、２１ｂ、２２ａ、２２ｂは、カートリッジ本体のディスク保持部１０ｄ以外の領域に収納される。
次に、シャッタ２１、２２の構成および動作について図７、図８および図９を用いてさらに詳しく説明する。図７はディスク１００を収納したディスクカートリッジ３０１のディスク１００の中心を通る断面図である。図７に示すように、カートリッジ本体１０におけるディスク収納部１０ｄの第２の内側面１２ｉには、開閉動作を行うシャッタ２２（２１）と干渉しないよう切り欠き１０ｗを設け、さらに開放状態の時のシャッタ２２（２１）の一部を収納するシャッタ収納部１０ｓがカートリッジ本体１０内に設けている。またシャッタ閉塞時にシャッタ２１と２２の突き合わされる縁部のうち、少なくともヘッド開口部１１ｈとチャッキング開口部１１ｃの上で突き合わされる縁部２１ｆと２２ｆは、図７に示すようにディスク１００の厚み方向に重畳している。
一方、図８に示すように、ディスク保持部２１ａ、２１ｂ、２２ａ、２２ｂは、ディスク投影領域上であって、ディスク１００の外周上に張り出すように傾斜した斜面２１ａ’（２１ｂ’、２２ａ’、２２ｂ’）を有する形状を備えている。つまり、斜面２１ａ’は逆テーパ状をしており、ディスク１００に向かって傾いている。シャッタ２１および２２がチャッキング開口部１１ｃとヘッド開口部１１ｈを閉塞する時は、斜面２１ａ’をディスク１００の稜１００ｃに当接させることでディスク１００を把持すると共にディスク１００を厚み方向１００ｔへ押圧し、シャッタ２１および２２のシート２１ｐおよび２２ｐにデータ記録面１００Ａを面接触させ、ディスク１００をカートリッジ本体１０に保持固定する。この状態において、ディスク１００のデータ記録面１００Ａはシート２１ｐおよび２２ｐに密着しているため、データ記録面１００Ａへの埃塵の付着を防止できる。
また外部から露出したディスク１００の片面を強制的に回転させることにより、またはシャッタ２１および２２を強制的に開閉動作させることにより、ディスク１００のデータ記録面１００Ａに付着した埃塵や指紋等の汚れを払拭することもできる。
また図９に示すように、シャッタ２１には外部からシャッタを開閉させるためのシャッタ開閉操作部２１ｔおよび弾性部２１ｖとこれを介して形成されるロック突起部２１ｋが一体に形成されている。シャッタ２１がチャッキング開口部１１ｃおよびヘッド開口部１１ｈを閉塞した状態では、図９に示すように、弾性部２１ｖにより付勢されたロック突起部２１ｋが、カートリッジ本体１０に形成されたロック孔１０ｋに嵌合しシャッタ２１を回動しないようカートリッジ本体１０に固定支持する。シャッタ２１が固定されると、連動機構２０ｃにより連結されているシャッタ２２も固定される。
従って、外部から突起物等によりロック突起部２１ｋを矢印２０Ａ方向に押してロック孔１０ｋとの嵌合を外しながら、同時に開閉操作部２１ｔを矢印２０Ｂ方向に押すことによってのみ、シャッタ２１および２２を回動させてチャッキング開口部１１ｃとヘッド開口部１１ｈを外部に対して開放し、同時にディスク保持部２１ａ、２１ｂ、２２ａ、２２ｂによるディスク１００の保持を解除することができる。このようにして、操作者による安易なディスクの取り外しを防止できる。
脱落防止部２３の構造および動作について図２および図１０を用いてさらに詳しく説明する。図１０は着脱可能に設けられた脱落防止部２３を上下逆にして斜めから見た斜視図である。脱落防止部２３は、その凸部２３ａ、２３ｂ、２３ｃがそれぞれ図２に示すカートリッジ上体１２のディスク開口部１２ｗ近くに設けられた凹部１２ａ、１２ｂ、１２ｃと嵌合し、着脱自在に取り付けられる。
このように本発明で用いるディスクカートリッジは、ディスクのラベル面全体を外部に対して露出するよう収納するディスク収納部を備える。ディスク収納部の底部にはディスクのデータ記録面へ記録・再生ヘッドがアクセスするためのヘッド開口部と、ディスクを回転させるためのモータがアクセスするチャッキング開口部が設けられている。ディスク装置に装填され、記録・再生される時以外はヘッド開口部およびチャッキング開口部はシャッタにより閉じられる。また、ディスク収納部内で移動しないようにディスク保持部によってディスクが把持される。脱落防止部はディス開口部へ突出しており、シャッタの閉塞時および開放時のいずれにおいても、ディスク開口部からディスクが脱落するのを防止する。
（第１の実施形態）
本発明の第１の実施形態を説明する。図１１は、ディスク１０１およびディスク１０１を収納するためのディスクカートリッジ３０１を有するデータ記録媒体４０１を示す斜視図である。図１２は、データ記録媒体４０１の厚さ方向の断面を示す図である。
ディスクカートリッジ３０１は、図１から図１０を参照して説明したディスクカートリッジ３０１と同様の構造を備えており、ディスクカートリッジ３０１のディスク開口部１２ｗからディスク１０１のラベル面１００Ｂの全体を露出するようにディスク１０１を収納している。図１１には図示していないが、上述したように、データ記録媒体４０１を記録・再生のためのディスク装置に挿入していない状態では、ディスクカートリッジ３０１のシャッタ２１、２２に設けられたディスク保持部２１ａ、２２ｂ、２２ａ、２２ｂがディスク１０１を保持している。
図２に示すようにディスク１０１は、データ記録層１、第１の基板１１および第２の基板２を含む。データ記録層１は第１の基板１１および第２の基板２によって挟まれており、第２の基板２はデータ記録面１００Ａとなる。また第１の基板１１はラベル面１００Ｂとなる。
第１の基板１１は、表面に浮き彫り状の凹凸を有する意匠１３ａが施された第１の層１３と、第１の層１３の表面を被覆する透明な第２の層１２とを含む。第２の層１２は意匠１３ａの凹凸を埋め、平らな表面を有している。意匠１３ａの凹凸による高低差は０．２〜１ｍｍの値に設定されている。第１の基板１１全体の厚さは０．５ｍｍ以上であることが好ましく、０．８〜１．４ｍｍであることがより好ましい。意匠１３ａはラベル面１００Ｂに設けられた第１の機能部である。
ディスクカートリッジ３０１のディスク開口部１２ｗが設けられているカートリッジ本体１０の上面１０ｆには浮き彫り状の凹凸を有する意匠１１３ａが施されており、意匠１１３ａの表面を透明部１１２が覆っている。意匠１１３ａは、ディスクカートリッジ３０１にもうけられた第２の機能部である。カートリッジ本体１０およびディスク１０１の第１の基板１１はポリカーボネート、ＡＢＳ樹脂などを用いて成形してもよい。
第１の機能部である意匠１３ａおよび第２の機能部である意匠１１３ａは連続して一体的に見える意匠１３Ａを構成している。つまり、協同することにより視覚効果をもたらす。たとえば、図１１では、意匠１１３ａおよび意匠１３ａは、葉の上を移動するカタツムリの絵柄１３Ａを一体的に構成している。意匠１１３ａ、意匠１３ａおよび一体的な意匠１３Ａは、データ記録層１にあらかじめ記録された音楽や映像に関連のある絵や写真、模様などであってもよい。意匠１３ａと意匠１１３ａとの一体感を高めるために、基板１１とカートリッジ本体とを同じ材料により構成してもよい。また、意匠１３ａおよび意匠１１３ａの浮き彫り凹凸の深さが等しいほうが一体感を高めより視覚的効果をあげることができる。
このように、意匠１１３ａおよび意匠１３ａを連続的なものにすることにより、ディスク１００のレベル面１００Ｂよりも大きな意匠１３Ａをディスクカートリッジ３０１のディスク開口部１２ｗが設けられた面に施すことが可能となる。
特に、レベル面１００Ｂにのみ意匠を施す場合には、ディスクの外形が円であるという制約を受けるが、本実施形態によれば、意匠１３Ａはディスクカートリッジ３０１の外形で規定される形状にすることができる。たとえば、おおよそ矩形の外形で規定される意匠を施す場合、図１３Ａに示すように、レベル面１００Ｂにのみ設けることのできる最大の意匠の一辺は、レベル面１００Ｂにより規定される円に外接する正方形となる。レベル面１００Ｂの半径をｒとすれば、一辺が√２ｒの正方形Ｓ１となる。
これに対して、ディスクカートリッジ３０１の上面にも意匠を施すことができる場合には、図１３Ｂに示すように、少なくともレベル面１００Ｂの円に内接する正方形Ｓ２によって規定される外形の意匠を施すことができる。つまり、一辺が２ｒの正方形Ｓ２内に意匠を施すことができ、面積比は２倍となる。このため、より大きな視覚効果をもたらすことができる。
また、一体ではない２つの構成要素であるディスクカートリッジ３０１およびディスク１００にまたがって、一体的意匠１３Ａが施されていることにより高い視覚効果をもたらすことができる。
このような視覚効果をもたらすためには、意匠１１３ａおよび、意匠１３ａが連続した意匠１３Ａを構成するよう、ディスク１０１がディスクカートリッジ３０１に保持されることが好ましい。このため、ディスク１０１を備えたディスクカートリッジ３０１は、図１４に示すディスク装置３５１を用いて、記録および／または再生されることが好ましい。
ディスク装置３５１は、ディスクカートリッジ３０１を装填することのできる支持部１８０と、ディスクカートリッジ３０１に収納されたディスク１０１を載置し、回転させるためのスピンドルモータ１８２と、ディスク１０１のデータ記録層に記録されたデータを再生し、または、ディスク１０１のデータ記録層へデータを記録するための光ヘッド１８１とを備えている。また、スピンドルモータ１８２にはスピンドルモータ１８２の回転角を検出するためのセンサ１８２’が備えられている。ディスク装置３５１は、センサ１８２’の出力に基づいて回転角を求める回転角度検出器１８４と、角度検出器１８４に基づいて、スピンドルモータ１８２の回転角を制御する制御部１８５とをさらに備える。図１４には示していないが、ディスク装置３５１は従来のディスク装置と同様の他の構成要素を備えている。
図１から１０を参照して説明したように、ディスクカートリッジ３０１がディスク装置３５１に装填されると、ディスクカートリッジ３０１のシャッタ２１、２２が開放され、ヘッド開口部１１ｈから光ヘッド１８１がディスク１０１のデータ記録面１００Ａにアクセスできるようになる。また、チャッキング開口部１１ｃを介して、スピンドルモータ１８２にディスク１０１が載置される。
このとき、シャッタ２１、２２の開放にともなって、シャッタ２１、２２に設けられていたディスク保持部２１ａ、２２ｂ、２２ａ、２２ｂはディスク１０１を解放する。また、スピンドルモータ１８２にディスク１０１が載置ときのスピンドルモータ１８２の回転角度が角度検出器１８４によって検出される。
光ヘッド１８１による記録および／または再生動作が完了すると、制御部１８５は、角度検出器１８４によって検出した回転角度位置でスピンドルモータを停止させる。続いて、シャッタ２１、２２の閉塞にともなって、シャッタ２１、２２に設けられていたディスク保持部２１ａ、２２ｂ、２２ａ、２２ｂがディスク１０１を保持、固定する。これによって、ディスク１０１のラベル面に施された意匠１３ａが、カートリッジ上面に施された意匠１１３ａと連続するよう、ディスク１０１がディスクカートリッジ３０１に固定される。その後、ディスクカートリッジ３０１がディスク装置３５１から排出される。
このようにディスク装置４０２によれば、ディスクカートリッジ３０１に対するディスク１０１の回転角度位置は、ディスク装置４０２にディスクカートリッジ３０１を挿入する前およびディスク装置４０２からディスクカートリッジ３０１を排出した後において同じとなる。このため、ディスク１０１のラベル面に施された意匠１３ａがカートリッジ本体の上面に施された意匠１１３ａと常に連続して見えるよう、ディスク１０１がディスクカートリッジ３０１に保持され、美観および視覚効果が高められる。
また、ディスク１０１を備えたディスクカートリッジ３０１に記録および／または再生を行うために図１５に示すディスク装置３５２を用いてもよい。ディスク装置３５２を用いる場合には、ディスク１０１のラベル面１００Ｂに角度マーク１４をあらかじめ設けておく。
ディスク装置３５２は、ディスクカートリッジ３０１を装填するための支持部１９０と、ディスクカートリッジ３０１に収納されたディスク１０１を載置、回転させるためのスピンドルモータ１９２と、ディスク１０１のデータ記録層に記録されたデータを再生し、または、ディスク１０１のデータ記録層へデータを記録するための光ヘッド１８１とを備えている。また、ディスク装置３５２はディスク１０１のラベル面１００Ｂに設けられた角度マーク１４を検出するための角度検出器１９４および制御部１８５を備えている。図１５には示していないが、ディスク装置３５２は従来のディスク装置と同様の他の構成要素を備えている。
光ヘッド１８１による記録および／または再生動作が完了した後、制御部１８５は、スピンドルモータ１９２を停止させる動作を開始する。スピンドルモータ１９２の回転が所定の速度以下になると、制御部１８５は、角度検出器１８４が角度マーク１４を検出した回転角度位置でスピンドルモータ１９２を完全に停止させる。これにより、ディスクカートリッジ３０１がディスク装置３５２に挿入される際のディスク１０１の回転角度位置にかかわらず、一定の回転角度位置でディスク１０１を停止させることができる。
したがって、この回転角度位置において、ディスク１０１のラベル面に施された意匠１３ａとカートリッジ本体の上面に施された意匠１１３ａとが連続した意匠１３Ａを構成するように角度マーク１４の配置を決定すれば、ディスク装置３５２から排出されるディスクカートリッジ３０１において、ディスク１０１のラベル面に施された意匠１３ａとカートリッジ上面に施された意匠１１３ａとは常に連続した意匠１３Ａを構成する。このため、ディスク１０１のラベル面に施された意匠１３ａがカートリッジ上面に施された意匠１１３ａと常に連続して見えるよう、ディスク１０１がディスクカートリッジ３０１に保持され、美観および視覚効果が高められる。
なお、ディスク１０１のラベル面に施された意匠１３ａとカートリッジ上面に施された意匠１１３ａとが一体的に見える意匠１３ａに対する意匠１１３ａの位置はひとつに限られるわけではない。たとえば、ディスクカートリッジ３０１に対するディスク１０１の回転角度が、０度および１８０度の２箇所において、一体的に見えるように、意匠１３ａおよび意匠１１３ａが構成されていてもよく、さらに多くの位置において、意匠１３ａと意匠１１３ａとが一体的な意匠１３Ａを構成してもよい。あるいは、ディスク１０１がディスクカートリッジ３０１に対してどのような回転角度で停止しても、意匠１３ａと意匠１１３ａとが一体的に見えるよう構成されていてもよい。このような場合には、上述したディスク装置３５１および３５２を用いなくても、つねに一体的な視覚効果が得られる。
なお、本実施形態において、ディスク１０１のラベル面１００Ｂに施された意匠１３ａとカートリッジ上面に施された意匠１１３ａとは、凹凸を有する彫刻によって形成されていたが、意匠１３ａおよび意匠１１３ａは平面的な通常の印刷やシボ加工等を用いて形成されていてもよい。意匠１３ａおよび意匠１１３ａが平面的であっても、上述したように、２つの意匠が協同することによる効果を得ることができる。この場合には、ディスク１０１の第１の基板１１全体の厚さは０．５ｍｍ以下であってもよい。たとえば、ディスク１０１はＣＤであってもよい。あるいは、ラベル面１００Ｂの表面に刻設された微細な多数の溝からなるパターンと、その内部において、積層された透明板および複数の描画パターンの層とを含むホログラムによって、意匠１１３ａおよび意匠１３ａを形成してもよい。
また、本実施形態において意匠１３ａおよび意匠１１３ａの表面は、それぞれ透明な第２の基板１２および透明部１１２に覆われているが、第２の基板１２および透明部１１２を省略してもよい。この場合には、ディスク１０１のラベル面１００Ｂおよびディスクカートリッジ３０１の上面１０ｆには、意匠１３ａおよび意匠１１３ａによる凹凸が直接表面に露出し、触覚的効果も得られる。
上述したように、本実施形態ではディスクの第１の機能部とディスクカートリッジの第２の機能部が協同することによって視聴覚的効果を発揮する。しかし、第１の基板１１の厚さを０．５ｍｍ以上にすることによって、平面的ではない第１の機能部をディスクに設けることができる場合には、第１の機能部を備えたディスク自体が新規で優れた視聴覚効果を発揮する。具体的には、上述した浮き彫り構造の意匠を第２の機能部としてディスクのラベル面に形成すれば、意匠が立体的であることによって、従来のディスクにはない優れた視覚効果を発揮する。したがって、第２の機能部と協同しなくても、需要者に対し高い訴求力を備えたディスクを実現することができる。
このような第１の機能部のみによって優れた視覚効果を発揮するディスクの他の例として、たとえば、第１の基板１１の第１の層１３をデータ記録層１を支持するための担持体として機能する材料によって形成し、第２の層１２をコインや爪などにより、容易にスクラッチマークが形成される膜によって形成してもよい。この構成を備えたディスク１０１には種々の情報を付与することが可能である。
この構造を備えたディスク１０１を製造し、ディスク１０１の反り、偏重心等の検査を行った結果をスクラッチマークによって第２の層１２に付与することができる。この場合、スクラッチマークの位置によって反りや偏重心の位置を示すことができ、また、スクラッチマークの大きさや数によって、反りや偏重心の程度を示すことができる。
また、第１の層１３の表面に、種々の文字情報などを印刷し、印刷された文字情報を第２の層１２によって覆ってもよい。この場合、第２の層１２をコインや爪などにより剥離することによって、文字情報などを表示することができる。文字情報として、たとえば、クイズの答え、くじ引きの当落マーク、あるいは占い（運勢）を印刷してもよい。
（第２の実施形態）
本発明のディスクカートリッジの第２の実施形態を説明する。図１６は、ディスク１０２およびディスク１０２を収納するためのディスクカートリッジ３０２を有するデータ記録媒体４０２を示す斜視図である。図１７は、データ記録媒体４０２の厚さ方向の断面を示す図である。
ディスクカートリッジ３０２は、図１から図１０を参照して説明したディスクカートリッジ３０１と同様の構造を備えており、ディスクカートリッジ３１１のディスク開口部１２ｗからディスク１０２のラベル面１００Ｂの全体を露出するようにディスク１０２を収納している。
図１７に示すようにディスク１０２は、データ記録層１、第１の基板２１および第２の基板２を含む。データ記録層１は第１の基板２１および第２の基板２によって挟まれており、第２の基板２はデータ記録面１００Ａを構成している。また第１の基板２１はラベル面１００Ｂを構成している。
第１の基板２１は、データ記録層１を支持する担持体として機能する基板層２３と、基板層２３の表面に設けられ、文字や絵柄などの線画の描画および消去が可能なタブレット２２とを含む。タブレット２２は、内部に粘性流体２５および磁性粉２６を内包し、たとえばハニカム状に形成された小室群２４と、その上面を覆う透明シート２７とを含む。タブレット２２は第１の機能部として機能する。
図１７に示すように、ディスクカートリッジ３０２においてディスク収納部の底部１１ｕには、少なくともタブレット２２の半径方向の長さと等しい長さを有する磁石板２１１がディスク１０２のデータ記録面１００Ａに対向するよう設けられている。磁石板２１１の表面が底部１１ｕにおいて露出している必要はなく、磁石板２１１は底部１１ｕに埋設されていてもよい。磁石２１１は第２の機能部として機能し、タブレット２２に描かれた絵柄や文字などを消去する。
ディスク１０２を収納したディスクカートリッジ３０２において、第１の機能部であるタブレット２２および第２の機能部である磁石２１１は協同することによって消去可能なタブレットとして機能する。具体的には、ユーザが先端に磁石２２１を取り付けたタッチペン２２０でタブレット２２の表面に触れると、小室２４内の磁性粉２６がタブレット２２の表面に吸引され、吸引された磁性粉２６を含む小室２４は黒く（または磁性粉に着色された色）表示される。このため、タッチペン２２０の移動にしたがって、その軌跡が黒く表示され、タッチペン２２０を用いてタブレット２２に文字や図形などを描くことができる。
図１６に示すように、ディスク１０２がディスクカートリッジ３０２に収納された状態でディスク１０２を矢印２０Ａで示すように１回転させると、磁石板２１１が磁性粉２６をタブレット２２の表面から離間させる。これにより、タブレット２２に示されていた文字や図形などは消去される。
一方、ディスク１０２を収納したディスクカートリッジ３０２がディスク装置に装填され、記録および／または再生がなされる場合、図１７に示すように、ディスク１０２は矢印２２Ｂで示す方向に移動させられ、ディスク収納部の底部１１ｕから離間した状態でスピンドルモータに載置される。このため、磁石板２１１の磁力は、磁性粉２６をタブレット２２の表面から離間させるほど強く磁性粉２６には働かず、スピンドルモータによってディスク１０２が回転しても、タブレット２２に示されていた文字や図形はそのまま維持される。
このように、本実施形態によれば、たとえば、ディスク１０２に記録された楽曲や映像などコンテンツに関する情報を直接ディスク１０２の表面であるラベル面１００Ｂに書き込むことができ、必要に応じて、書き込んだ情報を消去することができる。情報を書き込むことのできる領域はおおよそラベル面１００Ｂ全体であり、十分に広い。このため、タブレット２２および磁石板２１１によって優れた視聴覚効果を発揮する。また、従来、こうした情報を小さなラベル紙に記入し、ラベル紙をディスクカートリッジに貼り付ける場合に比べて、情報の記録、および、記録された情報の消去あるいは書き換えが非常に容易になる。
なお、本実施形態において、タブレット２２には自由に文字や図形が記せるように構成されているが、タブレット２２表面に透明な座標入力シートを設け、文字や図形データを座標データとして入力されるように構成してもよい。
（第３の実施形態）
本発明のディスクカートリッジの第３の実施形態を説明する。図１８は、ディスク１０３およびディスク１０３を収納するためのディスクカートリッジ３０３を有するデータ記録媒体４０３を示す斜視図である。
ディスクカートリッジ３０３は、図１から図１０を参照して説明したディスクカートリッジ３０１と同様の構造を備えており、ディスクカートリッジ３０３のディスク開口部１２ｗからディスク１０３のラベル面１００Ｂの全体を露出するようにディスク１０３を収納している。
図１８に示すようにディスク１０３は、ラベル面１００Ｂ側に第１の基板として表示装置３０を備えている。表示装置３０は有機ＥＬ、無機ＥＬ、液晶などからなるマトリクス型表示装置であることが好ましい。表示装置３０は第１の機能部として機能する。
ディスクカートリッジ３０３は、スピーカ３１３、表示装置３０の表示を制御するための制御部３１１、表示装置３０に表示すべき画像情報およびスピーカ３１３で再生すべき音声情報を蓄積したメモリ３１２、ならびにこれらへ電力を供給する電源３１４を備えている。これらの構成要素は、カートリッジ本体１０に収納され、第２の機能部として機能する。画像情報および音声情報は、ディスク１０３に記録されている楽曲や映像などのコンテンツに関連したものであってもよい。また、メモリ３１２は、カートリッジ本体１０から着脱可能な可搬型個体メモリであってもよい。
図１８に示すように、シャッタ２１、２２のディスク保持部２１ｂ、２２ｂの斜面には、制御部３１１と接続された本体側端子３１６ａおよび３１６ｂが設けられている。ディスク１０３のラベル面１００Ｂには、本体側端子３１６ａおよび３１６ｂと対向するよう、ディスク側端子３６ａおよび３６ｂが設けられている。
さらに、カートリッジ本体１０およびディスク１０３には、一対の本体側マーク３１７および一対のディスク側マーク３７がそれぞれ設けられている。本体側端子３１６ａおよび３１６ｂがディスク側端子３６ａおよび３６ｂとそれぞれ接触するような回転角度位置にディスク１０３があるとき、ディスク側マーク３７の位置は本体側マーク３１７と一致する。
ディスク１０３を収納したディスクカートリッジ３０３が、ディスク装置に装填されていないとき、ディスク１０３はディスク保持部により保持されている。このとき、ディスク１０３を回転させて、本体側マーク３１７をディスク側マーク３７と一致させると、本体側端子３１６ａおよび３１６ｂがディスク側端子３６ａおよび３６ｂとそれぞれ接触する。これにより、メモリ３１２に記憶されていたデータに基づいて、表示装置３０に画像が表示され、スピーカ３１３から音声が再生される。また、ディスク１０３を回転させて、本体側マーク３１７がディスク側マーク３７と一致しないようにすると、画像の表示を中止し、音声を中断させることができる。
ディスク１０３を収納したディスクカートリッジ３０３をディスク装置に装填し、記録および／または再生動作を行う場合には、シャッタ２１、２２の開放にともなって、ディスク保持部がディスク１０３を開放する。これにより、ディスク保持部２１ｂ、２２ｂはディスク１０３に接触しないように退避するため、ディスク１０３が回転しても本体側端子３１６ａおよび３１６ｂとディスク側端子３６ａおよび３６ｂとが接触することはない。
このように、本実施形態によれば、ディスクのラベル面に設けられた表示装置と、ディスクカートリッジに設けられた表示装置に画像を表示させるための電源や制御部、スピーカとによって、表示部に動画等を表示し、スピーカから音声を再生することが可能となる。つまり、ディスク１０３を収納したディスクカートリッジ３０３の視聴覚効果を高め、ディスクカートリッジ３０３をより魅力的な商品にすることができる。特に表示する画像がディスク１０３に記録された映画等に関連している場合には、ディスク１０３に記録されたコンテンツをより効果的に表現することができる。
（第４の実施形態）
本発明のディスクカートリッジの第４の実施形態を説明する。図１９は、ディスク１０４およびディスク１０４を収納するためのディスクカートリッジ３０４を有するデータ記録媒体４０４を示す斜視図である。
ディスクカートリッジ３０４は、図１から図１０を参照して説明したディスクカートリッジ３０１と同様の構造を備えており、ディスクカートリッジ３０４のディスク開口部１２ｗからディスク１０４のラベル面１００Ｂの全体を露出するようにディスク１０４を収納している。
図１９に示すようにディスク１０４は、ラベル面１００Ｂ側に第１の基板として平面型スピーカ４０を備えている。平面型スピーカ４０は第１の機能部として機能する。
ディスクカートリッジ３０４は、マイク４１３、聴覚情報の変換および平面型スピーカ４０の駆動を行う制御部４１１、聴覚情報を蓄積したメモリ４１２、これらへ電力を供給する電源４１４、および電源４１４と制御部４１１とを電気的に接続するためのスイッチ４１７を備えている。スイッチ４１７は、マイク４１３を用いて音声を記録するモードおよびメモリ４１２に蓄積された聴覚情報を再生するモードを切り替えることもできる。これらの構成要素は、カートリッジ本体１０に収納され、第２の機能部として機能する。音声情報は、ディスク１０３に記録されている楽曲や映像などのコンテンツに関連したものであってもよい。
ディスクカートリッジ３０４は、さらにディスク開口部１２ｗへ張り出した脱落防止部４１５を備えている。脱落防止部４１５のディスク１０４と対向する面には、制御部４１１と接続された本体側端子４１６ａ、４１６ｂが設けられている。
一方、ディスク１０４のラベル面１００Ｂにおける平面型スピーカ４０の外縁部には同心円状に設けられた２つの環状導電領域からなるディスク側端子４６ａ、４６ｂが設けられており、ディスク１０４をディスクカートリッジ３０４に収納した状態において、本体側端子４１６ａ、４１６ｂとディスク側端子４６ａ、４６ｂとはそれぞれ接触している。ディスク側端子４６ａ、４６ｂは、ディスクの接線方向における本体側端子４１６ａ、４１６ｂの長さよりも短いギャップにより複数の円弧に分断されていてもよい。
本実施形態の脱落防止部４１５は、支点４１５ａを中心として回転可能なように支持されており、ねじりバネなどにより、ディスク１０４側へ付勢されている。このため、シャッタ（不図示）が閉塞し、ディスクがディスク保持部により保持されている状態では、本体側端子４１６ａ、４１６ｂとディスク側端子４６ａ、４６ｂとがそれぞれ接触している。一方、シャッタが開放した状態では、シャッタに設けられた凸部によって、脱落防止部４１５が付勢に抗して持ち上げられる。このため、本体側端子４１６ａ、４１６ｂがディスク側端子４６ａ、４６ｂから離間する。
第１の機能部である平面型スピーカ４０は第２の機能部と協同して聴覚効果を発揮する。具体的には、ディスク１０４を収納したディスクカートリッジ３０４が、ディスク装置に装填されていない状態において、ユーザがスイッチ４１７を操作することにより、ディスクカートリッジ３０３は録音モードになる。録音モードでは、マイク４１３を用いて音声を録音することができる。録音された音声は、制御部４１１により、聴覚情報に変換され、メモリ４１２に蓄積される。また、スイッチ４１７を操作して、ディスクカートリッジ３０４を再生モードにすれば、メモリ４１２に蓄積されていた聴覚情報が制御部４１１により音声信号に変換され、スピーカから再生される。再生する聴覚情報は、ディスクカートリッジ３０４を用いて録音されたものであってもよいし、ディスク１０３のデータ記録層に記録された楽曲や映像などのコンテンツに関連するものであってもよい。
ディスク１０４のディスク側端子４６ａ、４６ｂはディスク１０４のラベル面１００Ｂ上に環状に形成されておいるため、ディスク１０４がどのような回転角度位置でディスクカートリッジ３０４に収納されていても、本体側端子４１６ａ、４１６ｂはディスク側端子４６ａ、４６ｂと接触することができ、音声の再生や録音が可能となる。
ディスク１０４を収納したディスクカートリッジ３０３が、ディスク装置に装填されると、ディスクカートリッジ３０３のシャッタが開放され、ディスク保持部がディスク１０４を開放する。このとき、脱落防止部４１５は持ち上げられ、本体側端子４１６ａ、４１６ｂがディスク側端子４６ａ、４６ｂから離間する。このため、ディスク１０４に対して記録および／または再生を行っている間、本体側端子４１６ａ、４１６ｂがディスク側端子４６ａ、４６ｂに接触して、ディスク１０４の回転を妨げることはない。
このように、本実施形態によれば、ディスクのラベル面に設けられた平面型スピーカと、ディスクカートリッジに設けられた音声情報を記憶したメモリや制御部などとによって、スピーカから音声を再生することが可能となる。つまり、ディスク１０４を収納したディスクカートリッジ３０４の聴覚効果を高め、ディスクカートリッジ３０４をより魅力的な商品にすることができる。特にディスク１０３に記録された楽曲や映画等に関連した音声をメモリに記憶させておくことによってディスク装置を用いることなくコンテンツの一部を視聴することができる。このため、ディスク１０４に記録されたコンテンツをより効果的に表現することができ、顧客の魅力を惹きつけることができる。
なお、本実施形態ではスイッチを用いて音声の再生等の制御を行っているがスイッチは、他の手段に置き換えてもよい。たとえば、図２０に示すディスク１０４’およびディスクカートリッジ３０４’を有するデータ記録媒体４０４は、本体側端子４１６ｂと環状のディスク側端子４６ｂの換わりにディスク１０４’のラベル面１００Ｂに設け、表面が導電性を有するランド状のディスク側端子４６ｃおよびカートリッジ本体の上面に設け、表面が導電性を有するランド状の本体側端子４１６ｃとを備えている。メモリに４１４に蓄積された音声情報を再生するためには、ユーザが、手指などによって、ディスク側端子４６ｃと本体側端子４１６ｃとを同時に触れることにより、これらの端子間で通電し、音声を再生することができる。このような構造にすることによって、スイッチを省略することができる。
（第５の実施形態）
本発明のディスクカートリッジの第５の実施形態を説明する。図２１は、ディスク１０５およびディスク１０５を収納するためのディスクカートリッジ３０５を有するデータ記録媒体４０５を示す断面を示す図である。
ディスクカートリッジ３０５は、図１から図１０を参照して説明したディスクカートリッジ３０１と同様の構造を備えており、ディスクカートリッジ３０５のディスク開口部１２ｗからディスク１０５のラベル面１００Ｂの全体を露出するようにディスク１０５を収納している。
図２１に示すようにディスク１０５は、データ記録層１、第１の基板５１および第２の基板２を含む。データ記録層１は第１の基板５１および第２の基板２によって挟まれており、第２の基板２はデータ記録面１００Ａを構成している。また第１の基板５１はラベル面１００Ｂを構成している。
第１の基板５１は、データ記録層１を支持する担持体として機能する基板層５３と、基板層５３の表面に設けられた感圧層５２とを含む。ラベル面１００Ｂとなる感圧層５２の表面に圧接力が加えられると、感圧層５２は変色する。圧接力により色彩の濃度が変化するような感圧層５２を用いてもよい。感圧層５２は第１の機能部として機能する。感圧層５２は基板層５３全体を覆っていなくてもよく、たとえば、所定の間隔で配置された複数の領域に分けて設けられていてもよい。
一方、ディスクカートリッジ３０５は、ディスク１０５を収納した状態において、データ記録面１００Ａのデータ記録領域１Ｓの下方に空間５５０Ｓが形成されるようディスク収納部の底部に設けられた凹部５５０を有している。凹部５５０はたとえば、図１から図１０を参照して説明したディスクカートリッジ３０１のシャッタ２１、２２に設けることができる。凹部５５０の深さはＧＡである。凹部５５０は第２の機能部として機能する。
ユーザが、レベル面１００Ｂ側からディスク１０５を押さえつけるとディスク１０５はたわむ。図２１に示すように、たわみ量が破線５０’で示すように、たとえばＧＡの８０％程度になると、感圧層が変色し、たわみにより、データ記録面１００Ａが凹部５５０の底部に接触してディスク１０５に傷がつく恐れがあることを警告する。
上記各実施形態において、ディスカートリッジは図１から図１０に示す構造を共通に備えていたが、ディスクのラベル面を露出してディスクを収納するディスクカートリッジであれば、他の構造を備えていてもよい。たとえば、図２１に示すディスクカートリッジ３５１の構造を本発明に採用してもよい。図２１に示すように、ディスクカートリッジ３５１は、カートリッジ上体３５２、カートリッジ下体３５７、回転部材３５３、シャッタ３５４、３５５、脱落防止部３５８を備える。カートリッジ上体３５２およびカートリッジ下体３５７は、ディスクカートリッジ３０１と同様、ディスク開口部１２ｗを有するディスク収納部１０ｄを含む。
シャッタ３５４、３５５はディスク収納部１０ｄの底部上に設けられており、ヘッド開口部１１ｈを外部に対して、開放または閉塞する。
回転部材３５３は、ディスク収納部１０ｄのシャッタ３５４、３５５上に保持され、突起３５３ｅ、３５３ｆを備えている。また、シャッタ３５４、３５５には、突起３５３ｅ、３５３ｆと係合する溝３５４ｅ、３５５ｆがそれぞれ設けられている。このため、回転部材３５３を回転させることにより、シャッタ３５４、３５５を開閉させることができる。
回転部材３５３は、シャッタ３５４、３５５が閉塞した状態にあるときに、ディスク１００のデータ面１００Ａの外周縁部と接触してディスク１００を受けるディスク受け部３５９およびシャッタが開放した状態にあるときにヘッド開口部に位置するようディス受け部に設けられた切り欠き３５９ｃを有する。
ディスク収納部１０ｄは、底部の外周に沿って設けられた側壁１２ｉを有する。シャッタ３５４、３５５のディスク保持部２１ｂ、２２ａ、２２ｂは、シャッタが閉塞した状態にあるときに、回転部材３５３の切り欠き３５９ｃが位置する領域において、ディスク収納部１０ｄの側壁１２ｉにディスク１００の外側面が当接するよう、ディスク１００の中心をディスク収納部１０ｄの中心に対してオフセットさせてディスク１００を保持する。また、ディスク１００がディスク保持部２１ｂ、２２ａ、２２ｂに保持された状態では、ディスクのデータ記録面１００Ａの外周がディスク受け部３５９と接触する。
シャッタ３５４、３５５にはディスク１００のセンターホールに対応する孔２０ｈが設けられている。また、孔２０ｈを囲むように突起３６０が設けられている。シャッタが閉塞しており、ディスク保持部２１ｂ、２２ａ、２２ｂによってディスク１００が保持されるとき、ディスク１００のデータ記録面はディスク受け部３５９と突起３６０と接触する。また、上述したように、ディスク受け部３５９のない領域では、ディスクは側壁１２ｉと接触する。このため、ディスク１００のデータ記録領域の下方には密閉した空間が形成され、この空間により、データ記録領域に埃等が付着したり、ディスクカートリッジと接触して傷が生じるのを防止することができる。
【産業上の利用可能性】  本発明によれば、従来にはない新規ですぐれた視聴覚効果を発揮し、需要者に対して高い訴求力を有するディスクおよびディスクカートリッジを実現することができる。また、そのようなディスクやディスクカートリッジのためのディスク装置が提供される。
【図１】
2004012193.tif 000003
【図２】
2004012193.tif 000004
【図３】
2004012193.tif 000005
【図４】
2004012193.tif 000006
【図５】
2004012193.tif 000007
【図６】
2004012193.tif 000008
【図７】
2004012193.tif 000009
【図８】
2004012193.tif 000010
【図９】
2004012193.tif 000011
【図１０】
2004012193.tif 000012
【図１１】
2004012193.tif 000013
【図１２】
2004012193.tif 000014
2004012193.tif 000015
【図１４】
2004012193.tif 000016
【図１５】
2004012193.tif 000017
【図１６】
2004012193.tif 000018
【図１７】
2004012193.tif 000019
【図１８】
2004012193.tif 000020
【図１９】
2004012193.tif 000021
【図２０】
2004012193.tif 000022
【図２１】
2004012193.tif 000023
【図２２】
2004012193.tif 000024
【手続補正書】
【提出日】平成16年1月30日(2004.1.30)
【手続補正１】
【補正対象書類名】特許請求の範囲
【補正対象項目名】全文
【補正方法】変更
【補正の内容】
【特許請求の範囲】
【請求項１】
第１および第２の面を有し、前記第１の面に第１の機能部を有するディスクを収納するディスクカートリッジであって、
ディスク開口部および底部を有し、前記ディスク開口部から前記第１の面を外部に露出するように収納するディスク収納部と、前記ディスクを外部からチャッキングするために前記ディスク収納部の底部に設けられたチャッキング開口部と、データの記録および／または再生を行うヘッドが前記ディスクの第２の面へアクセスするために前記ディスク収納部の底部に設けられたヘッド開口部とを含むカートリッジ本体、
少なくとも前記ヘッド開口部を外部に対して開放および閉塞するように前記カートリッジ本体に対して移動可能なように支持されるシャッタ、および
前記カートリッジ本体に設けられ、前記ディスクの第１の機能部と協同することにより、視聴覚効果を発揮する第２の機能部、
を備えるディスクカートリッジ。
【請求項２】
前記第１の機能部および前記第２の機能部は協同することにより視覚効果を発揮する請求項１に記載のディスクカートリッジ。
【請求項３】
前記第１の機能部および前記第２の機能部は協同することにより聴覚効果を発揮する請求項１に記載のディスクカートリッジ。
【請求項４】
前記ディスクの第２の面には、視聴覚情報が記録されており、前記視聴覚効果は、前記ディスクの第２の面の視聴覚情報に関連している請求項１に記載のディスクカートリッジ。
【請求項５】
前記第１の機能部は前記第１の面に施された第１の意匠であり、前記第２の機能部は前記カートリッジ本体の前記ディスク開口部に近接した上面に施された第２の意匠であり、前記第１の意匠および前記第２の意匠は一体的に見える第３の意匠を構成している請求項２に記載のディスクカートリッジ。
【請求項６】
前記第１の意匠は前記第１の面に施された絵柄であり、前記第２の意匠は前記上面に施された絵柄である請求項５に記載のディスクカートリッジ。
【請求項７】
前記第１の意匠および前記第２の意匠は平面的である請求項６に記載のディスクカートリッジ。
【請求項８】
前記第１の意匠および前記第２の意匠は浮き彫りにより形成されている請求項６に記載のディスクカートリッジ。
【請求項９】
前記第１の意匠の浮き彫りの凹凸の深さは、前記第２の意匠の浮き彫りの凹凸の深さとほぼ等しい請求項８に記載のディスクカートリッジ。
【請求項１０】
前記ディスクの第１の面および前記カートリッジ本体の上面はシボ加工されている請求項６に記載のディスクカートリッジ。
【請求項１１】
前記第１の意匠および前記第２の意匠はホログラムによって形成されている請求項６に記載のディスクカートリッジ。
【請求項１２】
前記第１の機能部は前記第１の面に設けられ、線画の描画および消去が可能なタブレットであり、前記第２の機能部は前記カートリッジ本体に設けられ、前記タブレットに描かれた軌跡を消去する消去部である請求項２に記載のディスクカートリッジ。
【請求項１３】
前記タブレットは、磁性体を内包し、前記タブレットの表面に磁石または磁性体を近接させることにより、前記描画を行う請求項１２に記載のディスクカートリッジ。
【請求項１４】
前記タブレットは、粘性流体と磁性粉とを充填した小室を複数有する請求項１３に記載のディスクカートリッジ。
【請求項１５】
前記消去部は、前記カートリッジ本体のディス収納部の底部に設けられた磁石板である請求項１４に記載のディスクカートリッジ。
【請求項１６】
前記ディスクを前記カートリッジ本体のディス収納部内において回転させることにより、前記タブレットに記録された線画を消去する請求項１５に記載のディスクカートリッジ。
【請求項１７】
前記第１の機能部は前記第１の面に設けられ、液晶、有機ＥＬまたは無機ＥＬからなるマトリクス型表示装置であり、前記第２の機能部は、前記カートリッジ本体にもうけられ、前記マトリクス型表示装置を駆動するための制御部、前記マトリクス型表示装置に表示する画像データを記憶するメモリ、および前記マトリクス型表示装置に電力を供給する電源を含む請求項２に記載のディスクカートリッジ。
【請求項１８】
前記第２の機能部は、前記カートリッジ本体に設けられたスピーカをさらに含む請求項１７に記載のディスクカートリッジ。
【請求項１９】
前記第１の機能部は、前記マトリクス型表示装置の表面に設けられた透明なタブレットをさらに含み、前記タブレットに入力された情報を前記マトリクス型表示装置に表面する請求項１７に記載のディスクカートリッジ。
【請求項２０】
前記第１の機能部は前記第１の面に設けられた平板状スピーカであり、前記第２の機能部は、平板状スピーカから再生すべき聴覚情報を記録したメモリと、前記聴覚情報を変換して平板状スピーカへ信号を送る制御部と、前記制御部に電力を供給する電源とを含む請求項３に記載のディスクカートリッジ。
【請求項２１】
前記第２の機能部は、前記カートリッジ本体に設けられたマイクをさらに含み、前記制御部は前記マイクを用いて録音された音声を前記聴覚情報に変換して、前記メモリに記憶させる請求項１８に記載のディスクカートリッジ。
【請求項２２】
前記ディスクは、前記第１の機能部と接続され、前記ディスクの外縁部に設けられたディスク側端子を有し、前記カートリッジ本体は、前記第２の機能部と接続された本体側端子を含む請求項１７から２１のいずれかに記載のディスクカートリッジ。
【請求項２３】
前記ディスクカートリッジはシャッタの閉塞時に前記ディスクを保持するディスク保持部を備え、前記ディスク保持部によって前記ディスクが保持されているとき、前記ディスク側端子と前記本体側端子とは接触しうる請求項２２に記載のディスクカートリッジ。
【請求項２４】
前記ディスク側端子は、前記ディスクの外縁部に同心円状に設けられた複数の環状導電領域である請求項２３に記載のディスクカートリッジ。
【請求項２５】
前記ディスクはディスク側マークを有し、前記カートリッジ本体は本体側マークを有し、前記ディスク側マークと本体側マークとが一致位置にあるよう、前記ディスクを前記カートリッジ本体のディスク収納部内で回転させたとき、前記ディスク側端子と前記本体側端子とが接触する、請求項２３に記載のディスクカートリッジ。
【請求項２６】
前記ディスクは、前記第１の機能部と接続され、前記第１の面に設けられ、導電性の表面を備えたディスク側端子を含み、前記カートリッジ本体は、前記第２の機能部と接続され、前記カートリッジ本体の上面に設けられ、導電性の表面を備えた本体側端子を含み、前記ディスク側端子および前記本体側端子に同時に手指でふれることにより、前記第１の機能部と前記第２の機能部が電気的に接続される請求項１７から２１のいずれかに記載のディスクカートリッジ。
【請求項２７】
第１および第２の面を有し、前記第１の面に第１の機能部を有するディスクが収納された請求項１から１６のいずれかに規定されるディスクカートリッジが装填可能な支持部と、
前記ディスクを載置し、前記ディスクを回転させるためのスピンドルモータと、
前記ディスクの前記第２の面にデータの記録を行うことおよび／または前記第２の面に記録されたデータの再生を行うことが可能なヘッドと、
前記スピンドルモータに、前記ディスクが載置された時の前記スピンドルモータの回転角度位置を検出するためのセンサと、
前記ディスクカートリッジを排出する指令に基づいて、前記スピンドルモータを前記ディスクが載置された時の回転角度位置で停止させるよう前記スピンドルモータを制御する制御部と、
を備えるディスク装置。
【請求項２８】
第１および第２の面を有し、前記第１の面に第１の機能部を有するディスクが収納された請求項１から１６のいずれかに規定されるディスクカートリッジが装填可能な支持部と、
前記ディスクを載置し、前記ディスクを回転させるためのスピンドルモータと、
前記ディスクの前記第２の面にデータの記録を行うことおよび／または前記第２の面に記録されたデータの再生を行うことが可能なヘッドと、
前記ディスクの第２の面に設けられたマークを検出するセンサと、
前記ディスクのマークを検出した位置において、前記スピンドルモータが停止するよう前記スピンドルモータを制御する制御部と
を備えるディスク装置。
【手続補正２】
【補正対象書類名】明細書
【補正対象項目名】全文
【補正方法】変更
【補正の内容】
【発明の詳細な説明】
【技術分野】
【０００１】
本発明は光ディスク、磁気ディスクなどのディスクおよびディスクを収納するディスクカートリッジに関する。また、ディスクにデータを記録し、ディスクからデータを再生するディスク装置にも関する。
【背景技術】
【０００２】
近年の情報技術の発達に伴って、光ディスク、磁気ディスクなどのディスク状のデータ記録媒体の記録密度が飛躍的に高まってきている。また、データ記録媒体に記録されるデータの種類も多様化してきており、コンピュータ用のデータやソフトウエアに限られず、音楽、映像など種々のデータが記録されるようになってきている。
【０００３】
こうしたデータ記録媒体は、通常、データ記録面とラベル面とを有する円形のディスクで構成される。このようなディスクとしては、ＣＤ、ＤＶＤなどが挙げられる。また、片面または両面にデータ記録面を有する円形ディスクとディスク全体を覆うように収納するディスクカートリッジとで構成されたデータ記録媒体も広く用いられている。このようなデータ記録媒体としては、ＭＤ、ＤＶＤ−ＲＡＭ、ＭＯなどが挙げられる。
【０００４】
データ記録媒体に記録されているデータは、人に知覚できるものではない。このため、従来のデータ記録媒体では、記録されているデータ（コンテンツ）を表す情報を、ディスクのラベル面やディスクカートリッジの所定の領域に印刷などにより記していた。たとえば、データとして音楽や映画が記録されたデータ記録媒体の場合、楽曲や映画のタイトルが典型的には表示されていた。データ記録媒体がユーザによってデータの記録を行うことができるタイプのものである場合には、ユーザがラベル面やディスクカートリッジの所定の領域に記録したデータの内容を示す情報を書き込んでいた。
【０００５】
データが記録されたデータ記録媒体を商品として販売する場合、コンテンツの特徴はデータ記録媒体を見ただけでは識別できない。このため、ディスクのラベル面やディスクカートリッジに印刷された情報が商品としての魅力を需要者に訴求する上で重要となる。
【０００６】
しかしながら、従来のデータ記録媒体には、コンテンツを説明するための情報を印刷することのできる領域の大きさやその領域に許容される表示方法に制限がある。たとえば、ディスクのラベル面やディスクカートリッジに印刷を施すことのできる領域の形状は定められているため、デザイン上、新規で視覚効果の高い印刷を施すことができなかった。また、ＣＤの場合、ラベル面の表面から０．１ｍｍの深さにはデータ記録層が形成されているため、ラベル面に凹凸を形成するような立体的な印刷や彫刻を施すことはできない。
【０００７】
ディスクカートリッジにディスクが収納されたデータ記録媒体の場合には、ディスクカートリッジ内のディスクを交換してしまうと、ディスクカートリッジに印刷された情報と、ディスクに記録されたデータが一致しなくなる可能性があり、このような場合には、ディスクカートリッジに印刷あるいは記載された情報は無意味なものとなるという課題もあった。
【発明の開示】
【発明が解決しようとする課題】
【０００８】
本発明は、上述の課題を解決するためになされたものであり、記録されたデータに関する情報などを示すために、新規な視聴覚効果をもたらすことが可能なディスク、ディスクカートリッジを提供することを目的としている。また、そのようなディスクやディスクカートリッジのためのディスク装置を提供することを目的としている。
【課題を解決するための手段】
【０００９】
本発明のディスクカートリッジは第１および第２の面を有し、前記第１の面に第１の機能部を有するディスクを収納する。ディスクカートリッジは、ディスク開口部および底部を有し、前記ディスク開口部から前記第１の面を外部に露出するように収納するディスク収納部と、前記ディスクを外部からチャッキングするために前記ディスク収納部の底部に設けられたチャッキング開口部と、データの記録および／または再生を行うヘッドが前記ディスクの第２の面へアクセスするために前記ディスク収納部の底部に設けられたヘッド開口部とを含むカートリッジ本体、少なくとも前記ヘッド開口部を外部に対して開放および閉塞するように前記カートリッジ本体に対して移動可能なように支持されるシャッタ、および前記カートリッジ本体に設けられ、前記ディスクの第１の機能部と協同することにより、視聴覚効果を発揮する第２の機能部を備える。
【００１０】
ある好ましい実施形態において、前記第１の機能部および前記第２の機能部は協同することにより視覚効果を発揮する。
【００１１】
ある好ましい実施形態において、前記第１の機能部および前記第２の機能部は協同することにより聴覚効果を発揮する。
【００１２】
ある好ましい実施形態において、前記ディスクの第２の面には、視聴覚情報が記録されており、前記視聴覚効果は、前記ディスクの第２の面の視聴覚情報に関連している。
【００１３】
ある好ましい実施形態において、前記第１の機能部は前記第１の面に施された第１の意匠であり、前記第２の機能部は前記カートリッジ本体の前記ディスク開口部に近接した上面に施された第２の意匠であり、前記第１の意匠および前記第２の意匠は一体的に見える第３の意匠を構成している。
【００１４】
ある好ましい実施形態において、前記第１の意匠は前記第１の面に施された絵柄であり、前記第２の意匠は前記上面に施された絵柄である。
【００１５】
ある好ましい実施形態において、前記第１の意匠および前記第２の意匠は平面的である。
【００１６】
ある好ましい実施形態において、前記第１の意匠および前記第２の意匠は浮き彫りにより形成されている。
【００１７】
ある好ましい実施形態において、前記第１の意匠の浮き彫りの凹凸の深さは、前記第２の意匠の浮き彫りの凹凸の深さとほぼ等しい。
【００１８】
ある好ましい実施形態において、前記ディスクの第１の面および前記カートリッジ本体の上面はシボ加工されている。
【００１９】
ある好ましい実施形態において、前記第１の意匠および前記第２の意匠はホログラムによって形成されている。
【００２０】
ある好ましい実施形態において、前記第１の機能部は前記第１の面に設けられ、線画の描画および消去が可能なタブレットであり、前記第２の機能部は前記カートリッジ本体に設けられ、前記タブレットに描かれた軌跡を消去する消去部である。
【００２１】
ある好ましい実施形態において、前記タブレットは、磁性体を内包し、前記タブレットの表面に磁石または磁性体を近接させることにより、前記描画を行う。
【００２２】
ある好ましい実施形態において、前記タブレットは、粘性流体と磁性粉とを充填した小室を複数有する。
【００２３】
ある好ましい実施形態において、前記消去部は、前記カートリッジ本体のディス収納部の底部に設けられた磁石板である。
【００２４】
ある好ましい実施形態において、前記ディスクを前記カートリッジ本体のディス収納部内において回転させることにより、前記タブレットに記録された線画を消去する。
【００２５】
ある好ましい実施形態において、前記第１の機能部は前記第１の面に設けられ、液晶、有機ＥＬまたは無機ＥＬからなるマトリクス型表示装置であり、前記第２の機能部は、前記カートリッジ本体にもうけられ、前記マトリクス型表示装置を駆動するための制御部、前記マトリクス型表示装置に表示する画像データを記憶するメモリ、および前記マトリクス型表示装置に電力を供給する電源を含む。
【００２６】
ある好ましい実施形態において、前記第２の機能部は、前記カートリッジ本体に設けられたスピーカをさらに含む。
【００２７】
ある好ましい実施形態において、前記第１の機能部は、前記マトリクス型表示装置の表面に設けられた透明なタブレットをさらに含み、前記タブレットに入力された情報を前記マトリクス型表示装置に表面する。
【００２８】
ある好ましい実施形態において、前記第１の機能部は前記第１の面に設けられた平板状スピーカであり、前記第２の機能部は、平板状スピーカから再生すべき聴覚情報を記録したメモリと、前記聴覚情報を変換して平板状スピーカへ信号を送る制御部と、前記制御部に電力を供給する電源とを含む。
【００２９】
ある好ましい実施形態において、前記第２の機能部は、前記カートリッジ本体に設けられたマイクをさらに含み、前記制御部は前記マイクを用いて録音された音声を前記聴覚情報に変換して、前記メモリに記憶させる。
【００３０】
ある好ましい実施形態において、前記ディスクは、前記第１の機能部と接続され、前記ディスクの外縁部に設けられたディスク側端子を有し、前記カートリッジ本体は、前記第２の機能部と接続された本体側端子を含む。
【００３１】
ある好ましい実施形態において、前記ディスクカートリッジはシャッタの閉塞時に前記ディスクを保持するディスク保持部を備え、前記ディスク保持部によって前記ディスクが保持されているとき、前記ディスク側端子と前記本体側端子とは接触しうる。
【００３２】
ある好ましい実施形態において、前記ディスク側端子は、前記ディスクの外縁部に同心円状に設けられた複数の環状導電領域である。
【００３３】
ある好ましい実施形態において、前記ディスクはディスク側マークを有し、前記カートリッジ本体は本体側マークを有し、前記ディスク側マークと本体側マークとが一致位置にあるよう、前記ディスクを前記カートリッジ本体のディスク収納部内で回転させたとき、前記ディスク側端子と前記本体側端子とが接触する。
【００３４】
ある好ましい実施形態において、前記ディスクは、前記第１の機能部と接続され、前記第１の面に設けられ、導電性の表面を備えたディスク側端子を含み、前記カートリッジ本体は、前記第２の機能部と接続され、前記カートリッジ本体の上面に設けられ、導電性の表面を備えた本体側端子を含み、前記ディスク側端子および前記本体側端子に同時に手指でふれることにより、前記第１の機能部と前記第２の機能部が電気的に接続される。
【００３５】
本発明のディスク装置は、第１および第２の面を有し、前記第１の面に第１の機能部を有するディスクが収納された請求項１から１６のいずれかに規定されるディスクカートリッジが装填可能な支持部と、前記ディスクを載置し、前記ディスクを回転させるためのスピンドルモータと、前記ディスクの前記第２の面にデータの記録を行うことおよび／または前記第２の面に記録されたデータの再生を行うことが可能なヘッドと、前記スピンドルモータに、前記ディスクが載置された時の前記スピンドルモータの回転角度位置を検出するためのセンサと、前記ディスクカートリッジを排出する指令に基づいて、前記スピンドルモータを前記ディスクが載置された時の回転角度位置で停止させるよう前記スピンドルモータを制御する制御部とを備える。
【００３６】
また、本発明のディスク装置は、第１および第２の面を有し、前記第１の面に第１の機能部を有するディスクが収納された請求項１から１６のいずれかに規定されるディスクカートリッジが装填可能な支持部と、前記ディスクを載置し、前記ディスクを回転させるためのスピンドルモータと、前記ディスクの前記第２の面にデータの記録を行うことおよび／または前記第２の面に記録されたデータの再生を行うことが可能なヘッドと、前記ディスクの第２の面に設けられたマークを検出するセンサと、前記ディスクのマークを検出した位置において、前記スピンドルモータが停止するよう前記スピンドルモータを制御する制御部とを備える。
【００３７】
また、本発明のディスクは、データ記録層、第１の基板、第２の基板を備え、前記データ記録層は前記第１の基板および第２の基板に挟まれている。前記データ記録層への記録または、データ記録層からの再生は前記第２基板側から行われる。前記第１基板の厚みは０．５ｍｍ以上である。
【００３８】
ある好ましい実施形態において、前記第１の基板の表面には凹凸からなる浮き彫り状の意匠が施されている。
【００３９】
ある好ましい実施形態において、前記第１の基板は凹凸からなる浮き彫り状の意匠が表面に施された第１の層と、前記第１の層の穂表面を覆う透明な第２の層とを含む。
【００４０】
ある好ましい実施形態において、前記意匠は、前記データ記録層に記録されたデータに関連している。
【００４１】
ある好ましい実施形態において、前記意匠の凹凸による高低差は０．２ｍｍから１．０ｍｍの範囲にある。
【００４２】
ある好ましい実施形態において、前記第１の基板は前記データ記を支持する第１層と、第１の層の表面に設けられた膜状の第２層とを含み、前記第２の層はコインや爪により容易にスクラッチマークを付けたり剥がしたりすることができる。
【００４３】
ある好ましい実施形態において、前記第２層は前記第１層の表面に複数箇所設けられ、前記ディスクの検査工程において、特定の前記第２層にスクラッチマークを付けることにより、反り、偏重心等の固有情報を表示する。
【００４４】
ある好ましい実施形態において、前記第１の層の表面には所定の情報が印刷されており、前記第２の層を剥がすことにより前記情報を表示することができる。
【００４５】
ある好ましい実施形態において、前記情報はクイズの答え、くじ引き当落マーク、または占いである。
【００４６】
ある好ましい実施形態において、前記第１の基板にはホログラムを表示することのできる構造を備えている。
【発明の効果】
【００４７】
本発明によれば、従来にはない新規ですぐれた視聴覚効果を発揮し、需要者に対して高い訴求力を有するディスクおよびディスクカートリッジを実現することができる。また、そのようなディスクやディスクカートリッジのためのディスク装置が提供される。
【発明を実施するための最良の形態】
【００４８】
まず、本発明で用いるディスクカートリッジが備えている共通の構造を説明する。本実施形態で用いるディスクカートリッジとしては、たとえば、国際特許出願公開番号ＷＯ０２／０５６３１３および対応する米国特許出願番号１０／２８９，９６３、ならびに、国際特許出願公開番号ＷＯ０３／０４１０７６および対応する米国特許出願（代理人番号２１０４０７．００５２／０５２ＵＳで２００３年６月１７日に出願）に開示されたディスクカートリッジを用いることができる。国際特許出願公開番号ＷＯ０２／０５６３１３、米国特許出願番号１０／２８９，９６３、国際特許出願国際公開番号ＷＯ０３／０４１０７６、および２００３年６月１７日に代理人番号２１０４０７．００５２／０５２ＵＳでなされた米国特許出願の開示を以下において、援用する。
【００４９】
図１および図２は、本発明で用いるディスクカートリッジ３０１の一例を示す斜視図および分解斜視図である。まず、図１および図２を参照して、ディスクカートリッジ３０１の構造を概略的に説明する。
【００５０】
図１および図２に示されるディスク１００は第１および第２の面を備えており、図１では、第１の面であり、通常、ディスクのラベル等が描かれているラベル面１００Ｂが示されている。ディスク１００の第２の面であるデータ記録面１００Ａは、図２において裏面として示されている。
【００５１】
図１および図２に示すように、ディスクカートリッジ３０１は、カートリッジ下体１１、カートリッジ上体１２、一対のシャッタ２１、２２および脱落防止部２３を含む。
【００５２】
カートリッジ下体１１は、図２に示すように、外部からディスク１００を回転させるためのスピンドルモータ等のチャッキング部材が侵入できるよう開口したチャッキング開口部１１ｃと、ディスク１００のデータ記録面１００Ａに対してデータの再生および記録の少なくとも一方を行うヘッドが侵入し、アクセスできるよう開口したヘッド開口部１１ｈとを有する。カートリッジ下体１１は、ディスク１００のデータ記録面１００Ａと対向する。また、ヘッド開口部１１ｈは、カートリッジ下体１１の側面に達している。
【００５３】
カートリッジ上体１２は、ディスク１００の出し入れが可能であり、ディスクの上面を露出するようにディスク１００の全投影領域を開口する円形のディスク開口部１２ｗを有する。カートリッジ上体１２とカートリッジ下体１１とは外縁部で接着もしくは溶着されてカートリッジ本体１０を構成している。
【００５４】
カートリッジ下体１１のディスク１００のデータ記録面１００Ａと向かい合う第１の内側面１１ｕと、カートリッジ上体１２のディスク開口部１２ｗを構成する略円筒状の第２の内側面１２ｉとにより、ディスク１００を収納するディスク収納部１０ｄが構成される。これにより、第１の内側面１１ｕがディスク収納部１０ｄの底部となる。
【００５５】
ディスク収納部１０ｄにおいて、第２の内側面１２ｉとディスク１００との間にはディスク１００が回転可能な程度の空間が設けられる。また、ディスク収納部１０ｄの上部はディスク開口部１２ｗになっており、ディスク収納部１０ｄに保持されたディスク１００は、その片面をディスク開口部１２ｗから外部に露出する。
【００５６】
脱落防止部２３は、その一部がディスク開口部１２ｗに突出するようにカートリッジ上体１２に着脱可能に設けられている。図１および図２に示すように、本実施形態では脱落防止部２３は２つ設けられている。一方、カートリッジ上体１２には、カートリッジ上体１２と一体に形成されており、ディスク開口部１２ｗから突出している脱落防止部１２ｓが設けられている。２つの脱落防止部２３および脱落防止部１２ｓは、ディスク開口部１２ｗの円周上において、おおよそ等間隔に配置されており、シャッタ閉塞時およびシャッタ開放時において、ディスク開口部１２ｗからディスク１００が脱落することを防止する。特に、ディスクカートリッジをドライブ装置に垂直に挿入して使用する場合において脱落防止の効果を発揮する。
【００５７】
シャッタ２１および２２は、ディスク１００のデータ記録面１００Ａとディスク収納部１０ｄの内側面１１ｕとの間に設けられている。シャッタ２１および２２は、回動孔２１ｕおよび２２ｕをそれぞれ有しており、カートリッジ本体１０のディスク収納部１０ｄ以外の領域であって、かつヘッド開口部１１ｈと反対側に設けられた一対の回動軸１１ｓに回動孔２１ｕ、２２ｕが回動自在にそれぞれ嵌合している。このため、チャッキング開口部１１ｃおよびヘッド開口部１１ｈを外部に対して開放または閉塞するようシャッタ２１および２２は回動軸１１ｓを中心に移動する。
【００５８】
シャッタ２１および２２の回動孔２１ｕおよび２２ｕ近傍にはそれぞれカム２１ｃおよびフォロワ２２ｃが設けられている。カム２１ｃおよびフォロワ２２ｃは互いに噛み合う形状を備え、シャッタ２１および２２を互いに連動しながら開閉させる連動機構２０ｃを構成している。
【００５９】
シャッタ２１および２２のディスクデータ記録面１００Ａと向かい合う面にはディスク１００への傷つき、もしくはデータ記録面１００Ａへの埃塵の侵入を防止する保護層２１ｐ、２２ｐが設けられている。
【００６０】
保護層２１ｐおよび２２ｐは、傷つき防止用不織布、防塵用不織布、傷つき防止用コーティング層、および防塵用コーティング層から適宜選択することができる。本実施形態では、防塵用不織布からなるシートを保護層２１ｐ、２２ｐとして貼着もしくは超音波溶着させている。
【００６１】
シャッタ２１および２２は、ディスク収納部１０ｄ以外の領域にそれぞれ設けられたシャッタバネ３１および３２によって、シャッタ２１および２２が閉じる方向に付勢されている。バネ以外の他の弾性部材を用いてシャッタ２１および２２を閉じる方向に付勢してもよい。
【００６２】
図２に示すように、ディスクカートリッジ３０１は、シャッタ２１および２２の端部にディスク保持部２１ａ、２１ｂ、２２ａ、２２ｂを備えている。ディスク保持部２１ａ、２１ｂ、２２ａ、２２ｂは、シャッタ２１および２２が閉塞している状態において、ディスク１００の外周を保持するよう、シャッタ２１および２２の端部において逆テーパ状の斜面を有している。ディスク保持部２１ａ、２１ｂ、２２ａ、２２ｂの構造およびその動作については以下において詳述する。
【００６３】
図１に示すように、カートリッジ本体１０（カートリッジ上体１２）の上面１０ｆは、収納されるディスク１００と平行になっている。カートリッジ本体１０の一対の側面には、凹部１０ｃが設けられている。凹部１０ｃは、ドライブ装置がディスクカートリッジ３０１をローディングする際の、あるいはディスクカートリッジ３０１がチェンジャに収納された場合の、引き込み用の係止もしくは位置決め用の凹みとして用いることができる。
【００６４】
図３は、カートリッジ上体１２とディスク１００がない場合におけるシャッタ２１、２２がチャッキング開口部１１ｃおよびヘッド開口部１１ｈを外部に対して閉塞している状態を示す斜視図である。図３において、シャッタ２１、２２に設けられたディスク保持部２１ａ、２１ｂ、２２ａ、２２ｂは図示しないディスク１００の外周を掴むように位置している。
【００６５】
図４は、カートリッジ上体１２とディスク１００がない場合におけるシャッタ２１、２２がチャッキング開口部１１ｃおよびヘッド開口部１１ｈを外部に対して開放している状態を示す斜視図である。シャッタ２１、２２が回動孔２１ｕ、２２ｕを中心として回転することにより、チャッキング開口部１１ｃおよびヘッド開口部１１ｈを外部に対して開放している。また、シャッタ２１、２２の移動にともなって、ディスク保持部２１ａ、２１ｂ、２２ａ、２２ｂも回動孔２１ｕ、２２ｕを中心として回転し、図示しないディスク１００の外周から離れた状態になる。
【００６６】
図５は、ディスク１００がない場合におけるシャッタ２１、２２がチャッキング開口部１１ｃおよびヘッド開口部１１ｈを外部に対して閉塞している状態を示す斜視図である。図５に示すように、ディスク保持部２１ａ、２１ｂ、２２ａ、２２ｂはディスク収納部１０ｄに突出した状態にあり、図示しないディスク１００を保持する。一方、図６は、ディスク１００がない場合におけるシャッタ２１、２２がチャッキング開口部１１ｃおよびヘッド開口部１１ｈを外部に対して開放している状態を示す斜視図である。図６に示すように、シャッタ２１、２２が開放状態にあるとき、ディスク保持部２１ａ、２１ｂ、２２ａ、２２ｂは、カートリッジ本体のディスク保持部１０ｄ以外の領域に収納される。
【００６７】
次に、シャッタ２１、２２の構成および動作について図７、図８および図９を用いてさらに詳しく説明する。図７はディスク１００を収納したディスクカートリッジ３０１のディスク１００の中心を通る断面図である。図７に示すように、カートリッジ本体１０におけるディスク収納部１０ｄの第２の内側面１２ｉには、開閉動作を行うシャッタ２２（２１）と干渉しないよう切り欠き１０ｗを設け、さらに開放状態の時のシャッタ２２（２１）の一部を収納するシャッタ収納部１０ｓがカートリッジ本体１０内に設けている。またシャッタ閉塞時にシャッタ２１と２２の突き合わされる縁部のうち、少なくともヘッド開口部１１ｈとチャッキング開口部１１ｃの上で突き合わされる縁部２１ｆと２２ｆは、図７に示すようにディスク１００の厚み方向に重畳している。
【００６８】
一方、図８に示すように、ディスク保持部２１ａ、２１ｂ、２２ａ、２２ｂは、ディスク投影領域上であって、ディスク１００の外周上に張り出すように傾斜した斜面２１ａ'（２１ｂ'、２２ａ'、２２ｂ'）を有する形状を備えている。つまり、斜面２１ａ'は逆テーパ状をしており、ディスク１００に向かって傾いている。シャッタ２１および２２がチャッキング開口部１１ｃとヘッド開口部１１ｈを閉塞する時は、斜面２１ａ'をディスク１００の稜１００ｃに当接させることでディスク１００を把持すると共にディスク１００を厚み方向１００ｔへ押圧し、シャッタ２１および２２のシート２１ｐおよび２２ｐにデータ記録面１００Ａを面接触させ、ディスク１００をカートリッジ本体１０に保持固定する。この状態において、ディスク１００のデータ記録面１００Ａはシート２１ｐおよび２２ｐに密着しているため、データ記録面１００Ａへの埃塵の付着を防止できる。
【００６９】
また外部から露出したディスク１００の片面を強制的に回転させることにより、またはシャッタ２１および２２を強制的に開閉動作させることにより、ディスク１００のデータ記録面１００Ａに付着した埃塵や指紋等の汚れを払拭することもできる。
【００７０】
また図９に示すように、シャッタ２１には外部からシャッタを開閉させるためのシャッタ開閉操作部２１ｔおよび弾性部２１ｖとこれを介して形成されるロック突起部２１ｋが一体に形成されている。シャッタ２１がチャッキング開口部１１ｃおよびヘッド開口部１１ｈを閉塞した状態では、図９に示すように、弾性部２１ｖにより付勢されたロック突起部２１ｋが、カートリッジ本体１０に形成されたロック孔１０ｋに嵌合しシャッタ２１を回動しないようカートリッジ本体１０に固定支持する。シャッタ２１が固定されると、連動機構２０ｃにより連結されているシャッタ２２も固定される。
【００７１】
従って、外部から突起物等によりロック突起部２１ｋを矢印２０Ａ方向に押してロック孔１０ｋとの嵌合を外しながら、同時に開閉操作部２１ｔを矢印２０Ｂ方向に押すことによってのみ、シャッタ２１および２２を回動させてチャッキング開口部１１ｃとヘッド開口部１１ｈを外部に対して開放し、同時にディスク保持部２１ａ、２１ｂ、２２ａ、２２ｂによるディスク１００の保持を解除することができる。このようにして、操作者による安易なディスクの取り外しを防止できる。
【００７２】
脱落防止部２３の構造および動作について図２および図１０を用いてさらに詳しく説明する。図１０は着脱可能に設けられた脱落防止部２３を上下逆にして斜めから見た斜視図である。脱落防止部２３は、その凸部２３ａ、２３ｂ、２３ｃがそれぞれ図２に示すカートリッジ上体１２のディスク開口部１２ｗ近くに設けられた凹部１２ａ、１２ｂ、１２ｃと嵌合し、着脱自在に取り付けられる。
【００７３】
このように本発明で用いるディスクカートリッジは、ディスクのラベル面全体を外部に対して露出するよう収納するディスク収納部を備える。ディスク収納部の底部にはディスクのデータ記録面へ記録・再生ヘッドがアクセスするためのヘッド開口部と、ディスクを回転させるためのモータがアクセスするチャッキング開口部が設けられている。ディスク装置に装填され、記録・再生される時以外はヘッド開口部およびチャッキング開口部はシャッタにより閉じられる。また、ディスク収納部内で移動しないようにディスク保持部によってディスクが把持される。脱落防止部はディス開口部へ突出しており、シャッタの閉塞時および開放時のいずれにおいても、ディスク開口部からディスクが脱落するのを防止する。
【００７４】
（第１の実施形態）
本発明の第１の実施形態を説明する。図１１は、ディスク１０１およびディスク１０１を収納するためのディスクカートリッジ３０１を有するデータ記録媒体４０１を示す斜視図である。図１２は、データ記録媒体４０１の厚さ方向の断面を示す図である。
【００７５】
ディスクカートリッジ３０１は、図１から図１０を参照して説明したディスクカートリッジ３０１と同様の構造を備えており、ディスクカートリッジ３０１のディスク開口部１２ｗからディスク１０１のラベル面１００Ｂの全体を露出するようにディスク１０１を収納している。図１１には図示していないが、上述したように、データ記録媒体４０１を記録・再生のためのディスク装置に挿入していない状態では、ディスクカートリッジ３０１のシャッタ２１、２２に設けられたディスク保持部２１ａ、２２ｂ、２２ａ、２２ｂがディスク１０１を保持している。
【００７６】
図２に示すようにディスク１０１は、データ記録層１、第１の基板１１および第２の基板２を含む。データ記録層１は第１の基板１１および第２の基板２によって挟まれており、第２の基板２はデータ記録面１００Ａとなる。また第１の基板１１はラベル面１００Ｂとなる。
【００７７】
第１の基板１１は、表面に浮き彫り状の凹凸を有する意匠１３ａが施された第１の層１３と、第１の層１３の表面を被覆する透明な第２の層１２とを含む。第２の層１２は意匠１３ａの凹凸を埋め、平らな表面を有している。意匠１３ａの凹凸による高低差は０．２〜１ｍｍの値に設定されている。第１の基板１１全体の厚さは０．５ｍｍ以上であることが好ましく、０．８〜１．４ｍｍであることがより好ましい。意匠１３ａはラベル面１００Ｂに設けられた第１の機能部である。
【００７８】
ディスクカートリッジ３０１のディスク開口部１２ｗが設けられているカートリッジ本体１０の上面１０ｆには浮き彫り状の凹凸を有する意匠１１３ａが施されており、意匠１１３ａの表面を透明部１１２が覆っている。意匠１１３ａは、ディスクカートリッジ３０１にもうけられた第２の機能部である。カートリッジ本体１０およびディスク１０１の第１の基板１１はポリカーボネート、ＡＢＳ樹脂などを用いて成形してもよい。
【００７９】
第１の機能部である意匠１３ａおよび第２の機能部である意匠１１３ａは連続して一体的に見える意匠１３Ａを構成している。つまり、協同することにより視覚効果をもたらす。たとえば、図１１では、意匠１１３ａおよび意匠１３ａは、葉の上を移動するカタツムリの絵柄１３Ａを一体的に構成している。意匠１１３ａ、意匠１３ａおよび一体的な意匠１３Ａは、データ記録層１にあらかじめ記録された音楽や映像に関連のある絵や写真、模様などであってもよい。意匠１３ａと意匠１１３ａとの一体感を高めるために、基板１１とカートリッジ本体とを同じ材料により構成してもよい。また、意匠１３ａおよび意匠１１３ａの浮き彫り凹凸の深さが等しいほうが一体感を高めより視覚的効果をあげることができる。
【００８０】
このように、意匠１１３ａおよび意匠１３ａを連続的なものにすることにより、ディスク１００のレベル面１００Ｂよりも大きな意匠１３Ａをディスクカートリッジ３０１のディスク開口部１２ｗが設けられた面に施すことが可能となる。
【００８１】
特に、レベル面１００Ｂにのみ意匠を施す場合には、ディスクの外形が円であるという制約を受けるが、本実施形態によれば、意匠１３Ａはディスクカートリッジ３０１の外形で規定される形状にすることができる。たとえば、おおよそ矩形の外形で規定される意匠を施す場合、図１３Ａに示すように、レベル面１００Ｂにのみ設けることのできる最大の意匠の一辺は、レベル面１００Ｂにより規定される円に外接する正方形となる。レベル面１００Ｂの半径をｒとすれば、一辺が√２ｒの正方形Ｓ１となる。
【００８２】
これに対して、ディスクカートリッジ３０１の上面にも意匠を施すことができる場合には、図１３Ｂに示すように、少なくともレベル面１００Ｂの円に内接する正方形Ｓ２によって規定される外形の意匠を施すことができる。つまり、一辺が２ｒの正方形Ｓ２内に意匠を施すことができ、面積比は２倍となる。このため、より大きな視覚効果をもたらすことができる。
【００８３】
また、一体ではない２つの構成要素であるディスクカートリッジ３０１およびディスク１００にまたがって、一体的意匠１３Ａが施されていることにより高い視覚効果をもたらすことができる。
【００８４】
このような視覚効果をもたらすためには、意匠１１３ａおよび、意匠１３ａが連続した意匠１３Ａを構成するよう、ディスク１０１がディスクカートリッジ３０１に保持されることが好ましい。このため、ディスク１０１を備えたディスクカートリッジ３０１は、図１４に示すディスク装置３５１を用いて、記録および／または再生されることが好ましい。
【００８５】
ディスク装置３５１は、ディスクカートリッジ３０１を装填することのできる支持部１８０と、ディスクカートリッジ３０１に収納されたディスク１０１を載置し、回転させるためのスピンドルモータ１８２と、ディスク１０１のデータ記録層に記録されたデータを再生し、または、ディスク１０１のデータ記録層へデータを記録するための光ヘッド１８１とを備えている。また、スピンドルモータ１８２にはスピンドルモータ１８２の回転角を検出するためのセンサ１８２'が備えられている。ディスク装置３５１は、センサ１８２'の出力に基づいて回転角を求める回転角度検出器１８４と、角度検出器１８４に基づいて、スピンドルモータ１８２の回転角を制御する制御部１８５とをさらに備える。図１４には示していないが、ディスク装置３５１は従来のディスク装置と同様の他の構成要素を備えている。
【００８６】
図１から１０を参照して説明したように、ディスクカートリッジ３０１がディスク装置３５１に装填されると、ディスクカートリッジ３０１のシャッタ２１、２２が開放され、ヘッド開口部１１ｈから光ヘッド１８１がディスク１０１のデータ記録面１００Ａにアクセスできるようになる。また、チャッキング開口部１１ｃを介して、スピンドルモータ１８２にディスク１０１が載置される。
【００８７】
このとき、シャッタ２１、２２の開放にともなって、シャッタ２１、２２に設けられていたディスク保持部２１ａ、２２ｂ、２２ａ、２２ｂはディスク１０１を解放する。また、スピンドルモータ１８２にディスク１０１が載置ときのスピンドルモータ１８２の回転角度が角度検出器１８４によって検出される。
【００８８】
光ヘッド１８１による記録および／または再生動作が完了すると、制御部１８５は、角度検出器１８４によって検出した回転角度位置でスピンドルモータを停止させる。続いて、シャッタ２１、２２の閉塞にともなって、シャッタ２１、２２に設けられていたディスク保持部２１ａ、２２ｂ、２２ａ、２２ｂがディスク１０１を保持、固定する。これによって、ディスク１０１のラベル面に施された意匠１３ａが、カートリッジ上面に施された意匠１１３ａと連続するよう、ディスク１０１がディスクカートリッジ３０１に固定される。その後、ディスクカートリッジ３０１がディスク装置３５１から排出される。
【００８９】
このようにディスク装置４０２によれば、ディスクカートリッジ３０１に対するディスク１０１の回転角度位置は、ディスク装置４０２にディスクカートリッジ３０１を挿入する前およびディスク装置４０２からディスクカートリッジ３０１を排出した後において同じとなる。このため、ディスク１０１のラベル面に施された意匠１３ａがカートリッジ本体の上面に施された意匠１１３ａと常に連続して見えるよう、ディスク１０１がディスクカートリッジ３０１に保持され、美観および視覚効果が高められる。
【００９０】
また、ディスク１０１を備えたディスクカートリッジ３０１に記録および/または再生を行うために図１５に示すディスク装置３５２を用いてもよい。ディスク装置３５２を用いる場合には、ディスク１０１のラベル面１００Ｂに角度マーク１４をあらかじめ設けておく。
【００９１】
ディスク装置３５２は、ディスクカートリッジ３０１を装填するための支持部１９０と、ディスクカートリッジ３０１に収納されたディスク１０１を載置、回転させるためのスピンドルモータ１９２と、ディスク１０１のデータ記録層に記録されたデータを再生し、または、ディスク１０１のデータ記録層へデータを記録するための光ヘッド１８１とを備えている。また、ディスク装置３５２はディスク１０１のラベル面１００Ｂに設けられた角度マーク１４を検出するための角度検出器１９４および制御部１８５を備えている。図１５には示していないが、ディスク装置３５２は従来のディスク装置と同様の他の構成要素を備えている。
【００９２】
光ヘッド１８１による記録および／または再生動作が完了した後、制御部１８５は、スピンドルモータ１９２を停止させる動作を開始する。スピンドルモータ１９２の回転が所定の速度以下になると、制御部１８５は、角度検出器１８４が角度マーク１４を検出した回転角度位置でスピンドルモータ１９２を完全に停止させる。これにより、ディスクカートリッジ３０１がディスク装置３５２に挿入される際のディスク１０１の回転角度位置にかかわらず、一定の回転角度位置でディスク１０１を停止させることができる。
【００９３】
したがって、この回転角度位置において、ディスク１０１のラベル面に施された意匠１３ａとカートリッジ本体の上面に施された意匠１１３ａとが連続した意匠１３Ａを構成するように角度マーク１４の配置を決定すれば、ディスク装置３５２から排出されるディスクカートリッジ３０１において、ディスク１０１のラベル面に施された意匠１３ａとカートリッジ上面に施された意匠１１３ａとは常に連続した意匠１３Ａを構成する。このため、ディスク１０１のラベル面に施された意匠１３ａがカートリッジ上面に施された意匠１１３ａと常に連続して見えるよう、ディスク１０１がディスクカートリッジ３０１に保持され、美観および視覚効果が高められる。
【００９４】
なお、ディスク１０１のラベル面に施された意匠１３ａとカートリッジ上面に施された意匠１１３ａとが一体的に見える意匠１３ａに対する意匠１１３ａの位置はひとつに限られるわけではない。たとえば、ディスクカートリッジ３０１に対するディスク１０１の回転角度が、０度および１８０度の２箇所において、一体的に見えるように、意匠１３ａおよび意匠１１３ａが構成されていてもよく、さらに多くの位置において、意匠１３ａと意匠１１３ａとが一体的な意匠１３Ａを構成してもよい。あるいは、ディスク１０１がディスクカートリッジ３０１に対してどのような回転角度で停止しても、意匠１３ａと意匠１１３ａとが一体的に見えるよう構成されていてもよい。このような場合には、上述したディスク装置３５１および３５２を用いなくても、つねに一体的な視覚効果が得られる。
【００９５】
なお、本実施形態において、ディスク１０１のラベル面１００Ｂに施された意匠１３ａとカートリッジ上面に施された意匠１１３ａとは、凹凸を有する彫刻によって形成されていたが、意匠１３ａおよび意匠１１３ａは平面的な通常の印刷やシボ加工等を用いて形成されていてもよい。意匠１３ａおよび意匠１１３ａが平面的であっても、上述したように、２つの意匠が協同することによる効果を得ることができる。この場合には、ディスク１０１の第１の基板１１全体の厚さは０．５ｍｍ以下であってもよい。たとえば、ディスク１０１はＣＤであってもよい。あるいは、ラベル面１００Ｂの表面に刻設された微細な多数の溝からなるパターンと、その内部において、積層された透明板および複数の描画パターンの層とを含むホログラムによって、意匠１１３ａおよび意匠１３ａを形成してもよい。
【００９６】
また、本実施形態において意匠１３ａおよび意匠１１３ａの表面は、それぞれ透明な第２の基板１２および透明部１１２に覆われているが、第２の基板１２および透明部１１２を省略してもよい。この場合には、ディスク１０１のラベル面１００Ｂおよびディスクカートリッジ３０１の上面１０ｆには、意匠１３ａおよび意匠１１３ａによる凹凸が直接表面に露出し、触覚的効果も得られる。
【００９７】
上述したように、本実施形態ではディスクの第１の機能部とディスクカートリッジの第２の機能部が協同することによって視聴覚的効果を発揮する。しかし、第１の基板１１の厚さを０．５ｍｍ以上にすることによって、平面的ではない第１の機能部をディスクに設けることができる場合には、第１の機能部を備えたディスク自体が新規で優れた視聴覚効果を発揮する。具体的には、上述した浮き彫り構造の意匠を第２の機能部としてディスクのラベル面に形成すれば、意匠が立体的であることによって、従来のディスクにはない優れた視覚効果を発揮する。したがって、第２の機能部と協同しなくても、需要者に対し高い訴求力を備えたディスクを実現することができる。
【００９８】
このような第１の機能部のみによって優れた視覚効果を発揮するディスクの他の例として、たとえば、第１の基板１１の第１の層１３をデータ記録層１を支持するための担持体として機能する材料によって形成し、第２の層１２をコインや爪などにより、容易にスクラッチマークが形成される膜によって形成してもよい。この構成を備えたディスク１０１には種々の情報を付与することが可能である。
【００９９】
この構造を備えたディスク１０１を製造し、ディスク１０１の反り、偏重心等の検査を行った結果をスクラッチマークによって第２の層１２に付与することができる。この場合、スクラッチマークの位置によって反りや偏重心の位置を示すことができ、また、スクラッチマークの大きさや数によって、反りや偏重心の程度を示すことができる。
【０１００】
また、第１の層１３の表面に、種々の文字情報などを印刷し、印刷された文字情報を第２の層１２によって覆ってもよい。この場合、第２の層１２をコインや爪などにより剥離することによって、文字情報などを表示することができる。文字情報として、たとえば、クイズの答え、くじ引きの当落マーク、あるいは占い（運勢）を印刷してもよい。
【０１０１】
（第２の実施形態）
本発明のディスクカートリッジの第２の実施形態を説明する。図１６は、ディスク１０２およびディスク１０２を収納するためのディスクカートリッジ３０２を有するデータ記録媒体４０２を示す斜視図である。図１７は、データ記録媒体４０２の厚さ方向の断面を示す図である。
【０１０２】
ディスクカートリッジ３０２は、図１から図１０を参照して説明したディスクカートリッジ３０１と同様の構造を備えており、ディスクカートリッジ３１１のディスク開口部１２ｗからディスク１０２のラベル面１００Ｂの全体を露出するようにディスク１０２を収納している。
【０１０３】
図１７に示すようにディスク１０２は、データ記録層１、第１の基板２１および第２の基板２を含む。データ記録層１は第１の基板２１および第２の基板２によって挟まれており、第２の基板２はデータ記録面１００Ａを構成している。また第１の基板２１はラベル面１００Ｂを構成している。
【０１０４】
第１の基板２１は、データ記録層１を支持する担持体として機能する基板層２３と、基板層２３の表面に設けられ、文字や絵柄などの線画の描画および消去が可能なタブレット２２とを含む。タブレット２２は、内部に粘性流体２５および磁性粉２６を内包し、たとえばハニカム状に形成された小室群２４と、その上面を覆う透明シート２７とを含む。タブレット２２は第１の機能部として機能する。
【０１０５】
図１７に示すように、ディスクカートリッジ３０２においてディスク収納部の底部１１ｕには、少なくともタブレット２２の半径方向の長さと等しい長さを有する磁石板２１１がディスク１０２のデータ記録面１００Ａに対向するよう設けられている。磁石板２１１の表面が底部１１ｕにおいて露出している必要はなく、磁石板２１１は底部１１ｕに埋設されていてもよい。磁石２１１は第２の機能部として機能し、タブレット２２に描かれた絵柄や文字などを消去する。
【０１０６】
ディスク１０２を収納したディスクカートリッジ３０２において、第１の機能部であるタブレット２２および第２の機能部である磁石２１１は協同することによって消去可能なタブレットとして機能する。具体的には、ユーザが先端に磁石２２１を取り付けたタッチペン２２０でタブレット２２の表面に触れると、小室２４内の磁性粉２６がタブレット２２の表面に吸引され、吸引された磁性粉２６を含む小室２４は黒く（または磁性粉に着色された色）表示される。このため、タッチペン２２０の移動にしたがって、その軌跡が黒く表示され、タッチペン２２０を用いてタブレット２２に文字や図形などを描くことができる。
【０１０７】
図１６に示すように、ディスク１０２がディスクカートリッジ３０２に収納された状態でディスク１０２を矢印２０Ａで示すように１回転させると、磁石板２１１が磁性粉２６をタブレット２２の表面から離間させる。これにより、タブレット２２に示されていた文字や図形などは消去される。
【０１０８】
一方、ディスク１０２を収納したディスクカートリッジ３０２がディスク装置に装填され、記録および／または再生がなされる場合、図１７に示すように、ディスク１０２は矢印２２Ｂで示す方向に移動させられ、ディスク収納部の底部１１ｕから離間した状態でスピンドルモータに載置される。このため、磁石板２１１の磁力は、磁性粉２６をタブレット２２の表面から離間させるほど強く磁性粉２６には働かず、スピンドルモータによってディスク１０２が回転しても、タブレット２２に示されていた文字や図形はそのまま維持される。
【０１０９】
このように、本実施形態によれば、たとえば、ディスク１０２に記録された楽曲や映像などコンテンツに関する情報を直接ディスク１０２の表面であるラベル面１００Ｂに書き込むことができ、必要に応じて、書き込んだ情報を消去することができる。情報を書き込むことのできる領域はおおよそラベル面１００Ｂ全体であり、十分に広い。このため、タブレット２２および磁石板２１１によって優れた視聴覚効果を発揮する。また、従来、こうした情報を小さなラベル紙に記入し、ラベル紙をディスクカートリッジに貼り付ける場合に比べて、情報の記録、および、記録された情報の消去あるいは書き換えが非常に容易になる。
【０１１０】
なお、本実施形態において、タブレット２２には自由に文字や図形が記せるように構成されているが、タブレット２２表面に透明な座標入力シートを設け、文字や図形データを座標データとして入力されるように構成してもよい。
【０１１１】
（第３の実施形態）
本発明のディスクカートリッジの第３の実施形態を説明する。図１８は、ディスク１０３およびディスク１０３を収納するためのディスクカートリッジ３０３を有するデータ記録媒体４０３を示す斜視図である。
【０１１２】
ディスクカートリッジ３０３は、図１から図１０を参照して説明したディスクカートリッジ３０１と同様の構造を備えており、ディスクカートリッジ３０３のディスク開口部１２ｗからディスク１０３のラベル面１００Ｂの全体を露出するようにディスク１０３を収納している。
【０１１３】
図１８に示すようにディスク１０３は、ラベル面１００Ｂ側に第１の基板として表示装置３０を備えている。表示装置３０は有機ＥＬ、無機ＥＬ、液晶などからなるマトリクス型表示装置であることが好ましい。表示装置３０は第１の機能部として機能する。
【０１１４】
ディスクカートリッジ３０３は、スピーカ３１３、表示装置３０の表示を制御するための制御部３１１、表示装置３０に表示すべき画像情報およびスピーカ３１３で再生すべき音声情報を蓄積したメモリ３１２、ならびにこれらへ電力を供給する電源３１４を備えている。これらの構成要素は、カートリッジ本体１０に収納され、第２の機能部として機能する。画像情報および音声情報は、ディスク１０３に記録されている楽曲や映像などのコンテンツに関連したものであってもよい。また、メモリ３１２は、カートリッジ本体１０から着脱可能な可搬型個体メモリであってもよい。
【０１１５】
図１８に示すように、シャッタ２１、２２のディスク保持部２１ｂ、２２ｂの斜面には、制御部３１１と接続された本体側端子３１６ａおよび３１６ｂが設けられている。ディスク１０３のラベル面１００Ｂには、本体側端子３１６ａおよび３１６ｂと対向するよう、ディスク側端子３６ａおよび３６ｂが設けられている。
【０１１６】
さらに、カートリッジ本体１０およびディスク１０３には、一対の本体側マーク３１７および一対のディスク側マーク３７がそれぞれ設けられている。本体側端子３１６ａおよび３１６ｂがディスク側端子３６ａおよび３６ｂとそれぞれ接触するような回転角度位置にディスク１０３があるとき、ディスク側マーク３７の位置は本体側マーク３１７と一致する。
【０１１７】
ディスク１０３を収納したディスクカートリッジ３０３が、ディスク装置に装填されていないとき、ディスク１０３はディスク保持部により保持されている。このとき、ディスク１０３を回転させて、本体側マーク３１７をディスク側マーク３７と一致させると、本体側端子３１６ａおよび３１６ｂがディスク側端子３６ａおよび３６ｂとそれぞれ接触する。これにより、メモリ３１２に記憶されていたデータに基づいて、表示装置３０に画像が表示され、スピーカ３１３から音声が再生される。また、ディスク１０３を回転させて、本体側マーク３１７がディスク側マーク３７と一致しないようにすると、画像の表示を中止し、音声を中断させることができる。
【０１１８】
ディスク１０３を収納したディスクカートリッジ３０３をディスク装置に装填し、記録および／または再生動作を行う場合には、シャッタ２１、２２の開放にともなって、ディスク保持部がディスク１０３を開放する。これにより、ディスク保持部２１ｂ、２２ｂはディスク１０３に接触しないように退避するため、ディスク１０３が回転しても本体側端子３１６ａおよび３１６ｂとディスク側端子３６ａおよび３６ｂとが接触することはない。
【０１１９】
このように、本実施形態によれば、ディスクのラベル面に設けられた表示装置と、ディスクカートリッジに設けられた表示装置に画像を表示させるための電源や制御部、スピーカとによって、表示部に動画等を表示し、スピーカから音声を再生することが可能となる。つまり、ディスク１０３を収納したディスクカートリッジ３０３の視聴覚効果を高め、ディスクカートリッジ３０３をより魅力的な商品にすることができる。特に表示する画像がディスク１０３に記録された映画等に関連している場合には、ディスク１０３に記録されたコンテンツをより効果的に表現することができる。
【０１２０】
（第４の実施形態）
本発明のディスクカートリッジの第４の実施形態を説明する。図１９は、ディスク１０４およびディスク１０４を収納するためのディスクカートリッジ３０４を有するデータ記録媒体４０４を示す斜視図である。
【０１２１】
ディスクカートリッジ３０４は、図１から図１０を参照して説明したディスクカートリッジ３０１と同様の構造を備えており、ディスクカートリッジ３０４のディスク開口部１２ｗからディスク１０４のラベル面１００Ｂの全体を露出するようにディスク１０４を収納している。
【０１２２】
図１９に示すようにディスク１０４は、ラベル面１００Ｂ側に第１の基板として平面型スピーカ４０を備えている。平面型スピーカ４０は第１の機能部として機能する。
【０１２３】
ディスクカートリッジ３０４は、マイク４１３、聴覚情報の変換および平面型スピーカ４０の駆動を行う制御部４１１、聴覚情報を蓄積したメモリ４１２、これらへ電力を供給する電源４１４、および電源４１４と制御部４１１とを電気的に接続するためのスイッチ４１７を備えている。スイッチ４１７は、マイク４１３を用いて音声を記録するモードおよびメモリ４１２に蓄積された聴覚情報を再生するモードを切り替えることもできる。これらの構成要素は、カートリッジ本体１０に収納され、第２の機能部として機能する。音声情報は、ディスク１０３に記録されている楽曲や映像などのコンテンツに関連したものであってもよい。
【０１２４】
ディスクカートリッジ３０４は、さらにディスク開口部１２ｗへ張り出した脱落防止部４１５を備えている。脱落防止部４１５のディスク１０４と対向する面には、制御部４１１と接続された本体側端子４１６ａ、４１６ｂが設けられている。
【０１２５】
一方、ディスク１０４のラベル面１００Ｂにおける平面型スピーカ４０の外縁部には同心円状に設けられた２つの環状導電領域からなるディスク側端子４６ａ、４６ｂが設けられており、ディスク１０４をディスクカートリッジ３０４に収納した状態において、本体側端子４１６ａ、４１６ｂとディスク側端子４６ａ、４６ｂとはそれぞれ接触している。ディスク側端子４６ａ、４６ｂは、ディスクの接線方向における本体側端子４１６ａ、４１６ｂの長さよりも短いギャップにより複数の円弧に分断されていてもよい。
【０１２６】
本実施形態の脱落防止部４１５は、支点４１５ａを中心として回転可能なように支持されており、ねじりバネなどにより、ディスク１０４側へ付勢されている。このため、シャッタ（不図示）が閉塞し、ディスクがディスク保持部により保持されている状態では、本体側端子４１６ａ、４１６ｂとディスク側端子４６ａ、４６ｂとがそれぞれ接触している。一方、シャッタが開放した状態では、シャッタに設けられた凸部によって、脱落防止部４１５が付勢に抗して持ち上げられる。このため、本体側端子４１６ａ、４１６ｂがディスク側端子４６ａ、４６ｂから離間する。
【０１２７】
第１の機能部である平面型スピーカ４０は第２の機能部と協同して聴覚効果を発揮する。具体的には、ディスク１０４を収納したディスクカートリッジ３０４が、ディスク装置に装填されていない状態において、ユーザがスイッチ４１７を操作することにより、ディスクカートリッジ３０３は録音モードになる。録音モードでは、マイク４１３を用いて音声を録音することができる。録音された音声は、制御部４１１により、聴覚情報に変換され、メモリ４１２に蓄積される。また、スイッチ４１７を操作して、ディスクカートリッジ３０４を再生モードにすれば、メモリ４１２に蓄積されていた聴覚情報が制御部４１１により音声信号に変換され、スピーカから再生される。再生する聴覚情報は、ディスクカートリッジ３０４を用いて録音されたものであってもよいし、ディスク１０３のデータ記録層に記録された楽曲や映像などのコンテンツに関連するものであってもよい。
【０１２８】
ディスク１０４のディスク側端子４６ａ、４６ｂはディスク１０４のラベル面１００Ｂ上に環状に形成されておいるため、ディスク１０４がどのような回転角度位置でディスクカートリッジ３０４に収納されていても、本体側端子４１６ａ、４１６ｂはディスク側端子４６ａ、４６ｂと接触することができ、音声の再生や録音が可能となる。
【０１２９】
ディスク１０４を収納したディスクカートリッジ３０３が、ディスク装置に装填されると、ディスクカートリッジ３０３のシャッタが開放され、ディスク保持部がディスク１０４を開放する。このとき、脱落防止部４１５は持ち上げられ、本体側端子４１６ａ、４１６ｂがディスク側端子４６ａ、４６ｂから離間する。このため、ディスク１０４に対して記録および／または再生を行っている間、本体側端子４１６ａ、４１６ｂがディスク側端子４６ａ、４６ｂに接触して、ディスク１０４の回転を妨げることはない。
【０１３０】
このように、本実施形態によれば、ディスクのラベル面に設けられた平面型スピーカと、ディスクカートリッジに設けられた音声情報を記憶したメモリや制御部などとによって、スピーカから音声を再生することが可能となる。つまり、ディスク１０４を収納したディスクカートリッジ３０４の聴覚効果を高め、ディスクカートリッジ３０４をより魅力的な商品にすることができる。特にディスク１０３に記録された楽曲や映画等に関連した音声をメモリに記憶させておくことによってディスク装置を用いることなくコンテンツの一部を視聴することができる。このため、ディスク１０４に記録されたコンテンツをより効果的に表現することができ、顧客の魅力を惹きつけることができる。
【０１３１】
なお、本実施形態ではスイッチを用いて音声の再生等の制御を行っているがスイッチは、他の手段に置き換えてもよい。たとえば、図２０に示すディスク１０４'およびディスクカートリッジ３０４'を有するデータ記録媒体４０４は、本体側端子４１６ｂと環状のディスク側端子４６ｂの換わりにディスク１０４'のラベル面１００Ｂに設け、表面が導電性を有するランド状のディスク側端子４６ｃおよびカートリッジ本体の上面に設け、表面が導電性を有するランド状の本体側端子４１６ｃとを備えている。メモリに４１４に蓄積された音声情報を再生するためには、ユーザが、手指などによって、ディスク側端子４６ｃと本体側端子４１６ｃとを同時に触れることにより、これらの端子間で通電し、音声を再生することができる。このような構造にすることによって、スイッチを省略することができる。
【０１３２】
（第５の実施形態）
本発明のディスクカートリッジの第５の実施形態を説明する。図２１は、ディスク１０５およびディスク１０５を収納するためのディスクカートリッジ３０５を有するデータ記録媒体４０５を示す断面を示す図である。
【０１３３】
ディスクカートリッジ３０５は、図１から図１０を参照して説明したディスクカートリッジ３０１と同様の構造を備えており、ディスクカートリッジ３０５のディスク開口部１２ｗからディスク１０５のラベル面１００Ｂの全体を露出するようにディスク１０５を収納している。
【０１３４】
図２１に示すようにディスク１０５は、データ記録層１、第１の基板５１および第２の基板２を含む。データ記録層１は第１の基板５１および第２の基板２によって挟まれており、第２の基板２はデータ記録面１００Ａを構成している。また第１の基板５１はラベル面１００Ｂを構成している。
【０１３５】
第１の基板５１は、データ記録層１を支持する担持体として機能する基板層５３と、基板層５３の表面に設けられた感圧層５２とを含む。ラベル面１００Ｂとなる感圧層５２の表面に圧接力が加えられると、感圧層５２は変色する。圧接力により色彩の濃度が変化するような感圧層５２を用いてもよい。感圧層５２は第１の機能部として機能する。感圧層５２は基板層５３全体を覆っていなくてもよく、たとえば、所定の間隔で配置された複数の領域に分けて設けられていてもよい。
【０１３６】
一方、ディスクカートリッジ３０５は、ディスク１０５を収納した状態において、データ記録面１００Ａのデータ記録領域１Ｓの下方に空間５５０Ｓが形成されるようディスク収納部の底部に設けられた凹部５５０を有している。凹部５５０はたとえば、図１から図１０を参照して説明したディスクカートリッジ３０１のシャッタ２１、２２に設けることができる。凹部５５０の深さはＧＡである。凹部５５０は第２の機能部として機能する。
【０１３７】
ユーザが、レベル面１００Ｂ側からディスク１０５を押さえつけるとディスク１０５はたわむ。図２１に示すように、たわみ量が破線５０'で示すように、たとえばＧＡの８０％程度になると、感圧層が変色し、たわみにより、データ記録面１００Ａが凹部５５０の底部に接触してディスク１０５に傷がつく恐れがあることを警告する。
【０１３８】
上記各実施形態において、ディスカートリッジは図１から図１０に示す構造を共通に備えていたが、ディスクのラベル面を露出してディスクを収納するディスクカートリッジであれば、他の構造を備えていてもよい。たとえば、図２１に示すディスクカートリッジ３５１の構造を本発明に採用してもよい。図２１に示すように、ディスクカートリッジ３５１は、カートリッジ上体３５２、カートリッジ下体３５７、回転部材３５３、シャッタ３５４、３５５、脱落防止部３５８を備える。カートリッジ上体３５２およびカートリッジ下体３５７は、ディスクカートリッジ３０１と同様、ディスク開口部１２ｗを有するディスク収納部１０ｄを含む。
【０１３９】
シャッタ３５４、３５５はディスク収納部１０ｄの底部上に設けられており、ヘッド開口部１１ｈを外部に対して、開放または閉塞する。
【０１４０】
回転部材３５３は、ディスク収納部１０ｄのシャッタ３５４、３５５上に保持され、突起３５３ｅ、３５３ｆを備えている。また、シャッタ３５４、３５５には、突起３５３ｅ、３５３ｆと係合する溝３５４ｅ、３５５ｆがそれぞれ設けられている。このため、回転部材３５３を回転させることにより、シャッタ３５４、３５５を開閉させることができる。
【０１４１】
回転部材３５３は、シャッタ３５４、３５５が閉塞した状態にあるときに、ディスク１００のデータ面１００Ａの外周縁部と接触してディスク１００を受けるディスク受け部３５９およびシャッタが開放した状態にあるときにヘッド開口部に位置するようディス受け部に設けられた切り欠き３５９ｃを有する。
【０１４２】
ディスク収納部１０ｄは、底部の外周に沿って設けられた側壁１２ｉを有する。シャッタ３５４、３５５のディスク保持部２１ｂ、２２ａ、２２ｂは、シャッタが閉塞した状態にあるときに、回転部材３５３の切り欠き３５９ｃが位置する領域において、ディスク収納部１０ｄの側壁１２ｉにディスク１００の外側面が当接するよう、ディスク１００の中心をディスク収納部１０ｄの中心に対してオフセットさせてディスク１００を保持する。また、ディスク１００がディスク保持部２１ｂ、２２ａ、２２ｂに保持された状態では、ディスクのデータ記録面１００Ａの外周がディスク受け部３５９と接触する。
【０１４３】
シャッタ３５４、３５５にはディスク１００のセンターホールに対応する孔２０ｈが設けられている。また、孔２０ｈを囲むように突起３６０が設けられている。シャッタが閉塞しており、ディスク保持部２１ｂ、２２ａ、２２ｂによってディスク１００が保持されるとき、ディスク１００のデータ記録面はディスク受け部３５９と突起３６０と接触する。また、上述したように、ディスク受け部３５９のない領域では、ディスクは側壁１２ｉと接触する。このため、ディスク１００のデータ記録領域の下方には密閉した空間が形成され、この空間により、データ記録領域に埃等が付着したり、ディスクカートリッジと接触して傷が生じるのを防止することができる。
【産業上の利用可能性】
【０１４４】
本発明によれば、従来にはない新規ですぐれた視聴覚効果を発揮し、需要者に対して高い訴求力を有するディスクおよびディスクカートリッジを実現することができる。また、そのようなディスクやディスクカートリッジのためのディスク装置が提供される。
【図面の簡単な説明】
【０１４５】
【図１】本発明で用いるディスクカートリッジの全体構造を示す斜視図である。
【図２】図１のディスクカートリッジを分解した状態を示す分解斜視図である。
【図３】図１のディスクカートリッジにおいて、シャッタが閉塞している状態をカートリッジ上体とディスクを省略して示す斜視図である。
【図４】図１のディスクカートリッジにおいて、シャッタが開放している状態をカートリッジ上体とディスクを省略して示す斜視図である。
【図５】図１のディスクカートリッジにおいて、シャッタが閉塞している状態をディスクを省略して示す斜視図である。
【図６】図１のディスクカートリッジにおいて、シャッタが開放している状態をディスクを省略して示す斜視図である。
【図７】図１のディスクカートリッジのディスク中心を通る断面を示す部分断面図である。
【図８】図１のディスクカートリッジのシャッタの一部を示す断面図である。
【図９】図１のディスクカートリッジの操作部近傍を示す部分平面図である。
【図１０】図１のディスクカートリッジの脱落防止部材を示す斜視図である。
【図１１】本発明のデータ記録媒体の第１の実施形態を示す斜視図である。
【図１２】図１に示すデータ記録媒体の厚さ方向の断面図である。
【図１３Ａ】従来のディスクのラベル面および本発明のデータ記録媒体に表示できる矩形領域の大きさを模式的に示している。
【図１３Ｂ】従来のディスクのラベル面および本発明のデータ記録媒体に表示できる矩形領域の大きさを模式的に示している。
【図１４】図１１に示すデータ記録媒体に用いるディスク装置の構造を模式的に示している。
【図１５】図１１に示すデータ記録媒体に用いる他のディスク装置の構造を模式的に示している。
【図１６】本発明のデータ記録媒体の第２の実施形態を示す斜視図である。
【図１７】図１６に示すデータ記録媒体の厚さ方向の断面図である。
【図１８】本発明のデータ記録媒体の第３の実施形態を示す斜視図である。
【図１９】本発明のデータ記録媒体の第４の実施形態を示す斜視図である。
【図２０】本発明のデータ記録媒体の第３の実施形態の変形例を示す斜視図である。
【図２１】本発明のデータ記録媒体の第４の実施形態を示す断面図である。
【図２２】本発明で用いることのできる他のディスクカートリッジの全体構造を示す斜視図である。
【国際調査報告】
2004012193.tif 000025
2004012193.tif 000026
2004012193.tif 000027
2004012193.tif 000028